(57)【特許請求の範囲】
【請求項１】
ソース装置による無線通信のための方法であって、
宛先装置にデータを転送することができる装置とメッセージを交換することと、
前記メッセージの交換に基づいて、前記転送装置を経由して前記宛先装置にデータを送るか、前記宛先装置にピアツーピア方式で直接的に前記データを送るかを判定することと、
前記判定に基づいて、前記宛先装置にデータを送信することと
を備え、前記交換は、前記転送装置の伝送電力および前記ソース装置の伝送電力、あるいは前記転送装置の１又は複数のビームフォーミング利得および前記ソース装置の１又は複数のビームフォーミング利得を示す１又は複数のメッセージを交換することを備え、
前記判定は、前記転送装置の前記伝送電力および前記ソース装置の前記伝送電力、あるいは前記転送装置の前記１又は複数のビームフォーミング利得および前記ソース装置の前記１又は複数のビームフォーミング利得に基づいて、前記転送装置を経由して前記宛先装置に前記データを送るのと、前記宛先装置にピアツーピア方式で直接的に前記データを送るのと、どちらが好適であるかを判定することを備える、
方法。
【請求項２】
前記交換は、少なくとも１つのチャネル条件を示す１又は複数のメッセージを交換することを備え、
前記判定は、前記少なくとも１つのチャネル条件に基づいて、前記転送装置を経由して前記宛先装置に前記データを送るのと、前記宛先装置にピアツーピア方式で直接的に前記データを送るのと、どちらが好適であるかを判定することを備える、
請求項１に記載の方法。
【請求項３】
前記少なくとも１つのチャネル条件は、前記ソース装置と前記転送装置との間のリンクのチャネル条件か、前記転送装置と前記宛先装置との間のリンクのチャネル条件かのうちの少なくとも１つを備える、
請求項２に記載の方法。
【請求項４】
前記判定に基づく前記送信の前に、前記転送装置を経由して前記宛先装置に前記データを送信することを決定することと、
前記決定についてのアナウンスメッセージを前記転送装置に送信することと
を更に備える、請求項１に記載の方法。
【請求項５】
前記アナウンスメッセージは、前記データに組み込まれる、
請求項４に記載の方法。
【請求項６】
前記送信は、
前記宛先装置のアドレスを備える前記データを前記転送装置に送信することを備え、前記アドレスは、前記データが前記宛先装置に転送されるべきであることを示す、
請求項１に記載の方法。
【請求項７】
前記交換は、
前記転送装置に要求メッセージを送信することと、
前記データが、前記宛先装置にピアツーピア方式で直接的に送られるべきか、それとも前記転送装置を経由して前記宛先デバイスに送られるべきかを示す応答メッセージを、前記転送装置から受信することと
を備える、請求項１に記載の方法。
【請求項８】
前記データの一部分は、前記データの別の一部分が前記転送装置に送信される前に、前記宛先装置に転送されるように前記転送装置に送信され、前記方法は、
前記データの前記一部分が前記転送装置において成功裏に受信されたというアクノレッジメントを前記転送装置から受信することを更に備え、前記データの前記一部分は、前記転送装置から前記宛先装置にまだ転送されていない、
請求項１に記載の方法。
【請求項９】
転送された場合に、前記データの前記一部分が前記宛先装置において成功裏に受信されたというアクノレッジメントを前記転送装置から受信することを更に備え、前記宛先装置は、前記アクノレッジメントを前記転送装置に送る、
請求項８に記載の方法。
【請求項１０】
無線通信のための装置であって、
宛先装置にデータを転送することができる装置とメッセージを交換するように構成されるトランシーバと、
前記メッセージの交換に基づいて、前記転送装置を経由して前記宛先装置にデータを送るか、前記宛先装置にピアツーピア方式で直接的に前記データを送るかを判定するように構成されるプロセッサと
を備え、前記トランシーバは更に、前記判定に基づいて、前記宛先装置にデータを送信するように構成され、前記トランシーバは更に、前記転送装置の伝送電力および前記ソース装置の伝送電力、あるいは前記転送装置の１又は複数のビームフォーミング利得および前記ソース装置の１又は複数のビームフォーミング利得を示す１又は複数のメッセージを交換するように構成され、
前記プロセッサは、前記転送装置の前記伝送電力および前記ソース装置の前記伝送電力、あるいは前記転送装置の前記１又は複数のビームフォーミング利得および前記ソース装置の前記１又は複数のビームフォーミング利得に基づいて、前記転送装置を経由して前記宛先装置に前記データを送るのと、前記宛先装置にピアツーピア方式で直接的に前記データを送るのと、どちらが好適であるかを判定するように構成される、
装置。
【請求項１１】
前記トランシーバは更に、少なくとも１つのチャネル条件を示す１又は複数のメッセージを交換するように構成され、
前記プロセッサは更に、前記少なくとも１つのチャネル条件に基づいて、前記転送装置を経由して前記宛先装置に前記データを送るのと、前記宛先装置にピアツーピア方式で直接的に前記データを送るのと、どちらが好適であるかを判定するように構成される、
請求項１０に記載の装置。
【請求項１２】
前記少なくとも１つのチャネル条件は、前記装置と前記転送装置との間のリンクのチャネル条件か、前記転送装置と前記宛先装置との間のリンクのチャネル条件かのうちの少なくとも１つを備える、
請求項１１に記載の装置。
【請求項１３】
前記プロセッサは更に、前記判定に基づく前記送信の前に、前記転送装置を経由して前記宛先装置に前記データを送信することを決定するように構成され、
前記トランシーバは更に、前記決定についてのアナウンスメッセージを前記転送装置に送信するように構成される、
請求項１０に記載の装置。
【請求項１４】
前記アナウンスメッセージは、前記データに組み込まれる、
請求項１３に記載の装置。
【請求項１５】
前記トランシーバは更に、前記宛先装置のアドレスを備える前記データを前記転送装置に送信するように構成され、前記アドレスは、前記データが前記宛先装置に転送されるべきであることを示す、
請求項１０に記載の装置。
【請求項１６】
前記トランシーバは更に、
前記転送装置に要求メッセージを送信し、
前記データが、前記宛先装置にピアツーピア方式で直接的に送られるべきか、それとも前記転送装置を経由して前記宛先デバイスに転送されるべきかを示す応答メッセージを、前記転送装置から受信する
ように構成される、請求項１０に記載の装置。
【請求項１７】
前記データの一部分は、前記データの別の一部分が前記転送装置に送信される前に前記宛先装置に転送されるように前記転送装置に送信され、前記トランシーバは更に、
前記データの前記一部分が前記転送装置において成功裏に受信されたというアクノレッジメントを前記転送装置から受信するように構成され、前記データの前記一部分は、前記転送装置から前記宛先装置にまだ転送されていない、
請求項１０に記載の装置。
【請求項１８】
前記トランシーバは更に、
転送された場合に、前記データの前記一部分が前記宛先装置において成功裏に受信されたというアクノレッジメントを前記転送装置から受信するように構成され、前記宛先装置は、前記アクノレッジメントを前記転送装置に送る、
請求項１７に記載の装置。
【請求項１９】
無線通信のための装置であって、
宛先装置にデータを転送することができる装置とメッセージを交換する手段と、
前記メッセージの交換に基づいて、前記転送装置を経由して前記宛先装置にデータを送るか、前記宛先装置にピアツーピア方式で直接的に前記データを送るかを判定する手段と、
前記判定に基づいて、前記宛先装置にデータを送信する手段と
を備え、前記交換する手段は、前記転送装置の伝送電力および前記ソース装置の伝送電力、あるいは前記転送装置の１又は複数のビームフォーミング利得および前記ソース装置の１又は複数のビームフォーミング利得を示す１又は複数のメッセージを交換する手段を備え、
前記判定する手段は、前記転送装置の前記伝送電力および前記ソース装置の前記伝送電力、あるいは前記転送装置の前記１又は複数のビームフォーミング利得および前記ソース装置の前記１又は複数のビームフォーミング利得に基づいて、前記転送装置を経由して前記宛先装置に前記データを送るのと、前記宛先装置にピアツーピア方式で直接的に前記データを送るのと、どちらが好適であるかを判定する手段を備える、
装置。
【請求項２０】
前記交換する手段は、少なくとも１つのチャネル条件を示す１又は複数のメッセージを交換する手段を備え、
前記判定する手段は、前記少なくとも１つのチャネル条件に基づいて、前記転送装置を経由して前記宛先装置に前記データを送るのと、前記宛先装置にピアツーピア方式で直接的に前記データを送るのと、どちらが好適であるかを判定する手段を備える、
請求項１９に記載の装置。
【請求項２１】
前記少なくとも１つのチャネル条件は、前記装置と前記転送装置との間のリンクのチャネル条件か、前記転送装置と前記宛先装置との間のリンクのチャネル条件かのうちの少なくとも１つを備える、
請求項２０に記載の装置。
【請求項２２】
前記判定に基づく前記送信の前に、前記転送装置を経由して前記宛先装置に前記データを送信することを決定する手段を更に備え、
前記送信する手段は更に、前記決定についてのアナウンスメッセージを前記転送装置に送信するように構成される、
請求項１９に記載の方法。
【請求項２３】
前記アナウンスメッセージは、前記データに組み込まれる、
請求項２２に記載の装置。
【請求項２４】
前記送信する手段は更に、前記宛先装置のアドレスを備える前記データを前記転送装置に送信するように構成され、前記アドレスは、前記データが前記宛先装置に転送されるべきであることを示す、
請求項１９に記載の装置。
【請求項２５】
前記交換する手段は、
前記転送装置に要求メッセージを送信する手段と、
前記データが、前記宛先装置にピアツーピア方式で直接的に送られるべきか、それとも前記転送装置を経由して前記宛先デバイスに転送されるべきかを示す応答メッセージを、前記転送装置から受信する手段と
を備える、請求項１９に記載の装置。
【請求項２６】
前記データの一部分は、前記データの別の一部分が前記転送装置に送信される前に前記宛先装置に転送されるように前記転送装置に送信され、前記装置は更に、
前記データの前記一部分が前記転送装置において成功裏に受信されたというアクノレッジメントを前記転送装置から受信する手段を備え、前記データの前記一部分は、前記転送装置から前記宛先装置にまだ転送されていない、
請求項１９に記載の装置。
【請求項２７】
前記受信する手段は更に、転送された場合に、前記データの前記一部分が前記宛先装置において成功裏に受信されたというアクノレッジメントを前記転送装置から受信するように構成され、前記宛先装置は、前記アクノレッジメントを前記転送装置に送っている、
請求項２６に記載の装置。
【請求項２８】
命令群を備える、ソース装置による無線通信のためのコンピュータプログラムであって、前記命令群は、
宛先装置にデータを転送することができる装置とメッセージを交換し、
前記メッセージの交換に基づいて、前記転送装置を経由して前記宛先装置にデータを送るのか、前記宛先装置にピアツーピア方式で直接的に前記データを送るのかを判定し、
前記判定に基づいて前記宛先装置にデータを送信する
ようにソース装置のコンピュータによって実行可能であって、
前記交換は、前記転送装置の伝送電力および前記ソース装置の伝送電力、あるいは前記転送装置の１又は複数のビームフォーミング利得および前記ソース装置の１又は複数のビームフォーミング利得を示す１又は複数のメッセージを交換することを備え、
前記判定は、前記転送装置の前記伝送電力および前記ソース装置の前記伝送電力、あるいは前記転送装置の前記１又は複数のビームフォーミング利得および前記ソース装置の前記１又は複数のビームフォーミング利得に基づいて、前記転送装置を経由して前記宛先装置に前記データを送るのと、前記宛先装置にピアツーピア方式で直接的に前記データを送るのと、どちらが好適であるかを判定することを備える、コンピュータプログラム。
【請求項２９】
転送無線ノードであって、
少なくとも１つのアンテナと、
宛先無線ノードにデータを転送することができる別の無線ノードと、前記少なくとも１つのアンテナによってメッセージを交換するように構成されるトランシーバと、
前記メッセージの交換に基づいて、前記転送無線ノードを経由してデータを前記宛先無線ノードに送るか、前記宛先無線ノードにピアツーピア方式で直接的に前記データを送るかを判定するように構成されるプロセッサと
を備え、前記トランシーバは更に、前記判定に基づいて、前記少なくとも１つのアンテナによって、前記宛先無線ノードにデータを送信するように構成され、
前記交換は、前記転送無線ノードの伝送電力および前記無線ノードの伝送電力、あるいは前記転送無線ノードの１又は複数のビームフォーミング利得および前記無線ノードの１又は複数のビームフォーミング利得を示す１又は複数のメッセージを交換することを備え、
前記判定は、前記転送無線ノードの前記伝送電力および前記無線ノードの前記伝送電力、あるいは前記転送無線ノードの前記１又は複数のビームフォーミング利得および前記無線ノードの前記１又は複数のビームフォーミング利得に基づいて、前記転送無線ノードを経由して前記宛先無線ノードに前記データを送るのと、前記宛先無線ノードにピアツーピア方式で直接的に前記データを送るのと、どちらが好適であるかを判定することを備える、
無線ノード。
【請求項３０】
転送装置によって実行される無線通信のための方法であって、
ソース装置とメッセージを交換することと、
データを宛先装置に送るよう求める要求メッセージを前記ソース装置から受信することと、
前記要求メッセージに応答して、前記ソース装置から前記宛先装置にピアツーピア方式で直接的に前記データを送るのと、前記ソース装置から前記転送装置を経由して前記宛先装置に前記データを送るのと、どちらが好適かを判定することと、
前記転送装置を経由して前記宛先装置に前記データを送るのが好適であることを示す確認メッセージを、前記ソース装置および前記宛先装置に送信することと
を備え、前記交換は、前記転送装置の伝送電力および前記ソース装置の伝送電力、あるいは前記転送装置の１又は複数のビームフォーミング利得および前記ソース装置の１又は複数のビームフォーミング利得を示す１又は複数のメッセージを交換することを備え、
前記判定は、前記転送装置の前記伝送電力および前記ソース装置の前記伝送電力、あるいは前記転送装置の前記１又は複数のビームフォーミング利得および前記ソース装置の前記１又は複数のビームフォーミング利得に基づいて、前記ソース装置から前記宛先装置にピアツーピア方式で直接的に前記データを送るのと、前記転送装置を経由して前記宛先装置に前記データを送るのと、どちらが好適であるかを判定することを備える、
方法。
【請求項３１】
前記ソース装置から前記データを受信することと、
前記宛先装置に前記受信されたデータを転送することと
を更に備え、前記受信および前記転送は、同時に実行される、
請求項３０に記載の方法。
【請求項３２】
前記ソース装置から前記データを受信することと、
前記受信されたデータを前記宛先装置に転送することと
を更に備え、前記データの全てが、前記宛先装置に転送される前に、前記転送装置において受信およびバッファされる、
請求項３０に記載の方法。
【請求項３３】
前記ソース装置から前記転送装置に前記データを送信するためのチャネル時間を前記ソース装置に割り当てることと、
前記宛先装置において前記データを受信するためのその他のチャネル時間を前記宛先装置に割り当てることと
を更に備える、請求項３０に記載の方法。
【請求項３４】
前記ソース装置から前記転送装置に前記データを送信するための周波数帯域を前記ソース装置に割り当てることと、
前記宛先装置において前記データを受信するためのその他の周波数帯域を前記宛先装置に割り当てることと
を更に備える、請求項３０に記載の方法。
【請求項３５】
前記ソース装置から前記転送装置に前記データを送信するための空間チャネルの第１のセットを前記ソース装置に割り当てることと、
前記宛先装置において前記データを受信するための空間チャネルの第２のセットを前記宛先装置に割り当てることと
を更に備える、請求項３０に記載の方法。
【請求項３６】
前記データの一部分は、前記ソース装置から受信され、前記ソース装置から前記データの別の一部分が受信される前に、前記宛先装置に転送される、
請求項３０に記載の方法。
【請求項３７】
前記データの前記一部分を転送する前に、前記ソース装置に、前記データの前記一部分の受信をアクノレッジするためのアクノレッジメントメッセージを送信することと、
前記宛先装置における前記データの前記一部分の受信を示す別のアクノレッジメントメッセージを前記宛先装置から受信することと
を更に備える、請求項３０に記載の方法。
【請求項３８】
前記判定は、
前記ソース装置と前記転送装置との間のリンクのチャネル条件に基づいて第１のリンク品質を判定することと、
前記転送装置と前記宛先装置との間のリンクのチャネル条件に基づいて第２のリンク品質を判定することと、
前記ソース装置と前記宛先装置との間の直接リンクのチャネル条件に基づいて第３のリンク品質を判定することと、
前記判定された第１、第２、および第３のリンク品質のうちの少なくとも１つと、選択された変調符号化スキームを使用する前記データの成功伝送のために必要とされるリンク品質の定義されたレベルとを比較することと
を備える、請求項３０に記載の方法。
【請求項３９】
前記チャネル条件は、信号対雑音比を備える、
請求項３８に記載の方法。
【請求項４０】
前記ソース装置から前記データを受信することと、
前記受信されたデータの一部分を復号することと、
前記データの前記復号された一部分を再符号化することと、
前記データの前記再符号化された一部分を、前記受信されたデータの復号されなかった残りの部分と一緒に転送することと
を更に備える、請求項３０に記載の方法。
【請求項４１】
前記データの前記復号された一部分はヘッダを備え、前記再符号化することは、
前記データの前記復号された一部分を修正することを備える、
請求項４０に記載の方法。
【請求項４２】
少なくとも１つのチャネル条件についての情報を、前記ソース装置に送信することを更に備え、
前記少なくとも１つのチャネル条件は、前記ソース装置と前記転送装置との間のリンクのチャネル条件か、前記転送装置と前記宛先装置との間のリンクのチャネル条件かのうちの少なくとも１つを備える、
請求項３０に記載の方法。
【請求項４３】
前記ソース装置が前記転送装置を経由して前記宛先装置に前記データを送ることを決定したことを示すアナウンスメッセージを備える前記データを、前記ソース装置から受信することを更に備える、
請求項３０に記載の方法。
【請求項４４】
前記宛先装置のアドレスを備える前記データを前記ソース装置から受信することと、
前記アドレスに基づいて、前記受信されたデータは前記宛先装置に転送されるべきであると判定することと
を更に備える、請求項３０に記載の方法。
【請求項４５】
無線通信のための装置であって、
ソース装置とメッセージを交換し、宛先装置にデータを送るよう求める要求メッセージを、前記ソース装置から受信するように構成されるトランシーバと、
前記要求メッセージに応答して、前記ソース装置から前記宛先装置にピアツーピア方式で直接的に前記データを送るのと、前記ソース装置から前記装置を経由して前記宛先装置に前記データを送るのと、どちらが好適であるかを判定するように構成されるプロセッサと、
前記トランシーバは、前記装置を経由して前記宛先装置に前記データを送るのが好適であることを示す確認メッセージを、前記ソース装置および前記宛先装置に送信するように構成され、
前記トランシーバは更に、前記転送装置の伝送電力および前記ソース装置の伝送電力、あるいは前記転送装置の１又は複数のビームフォーミング利得および前記ソース装置の１又は複数のビームフォーミング利得を示す１又は複数のメッセージを交換するように構成され、
前記プロセッサは更に、前記転送装置の前記伝送電力および前記ソース装置の前記伝送電力、あるいは前記転送装置の前記１又は複数のビームフォーミング利得および前記ソース装置の前記１又は複数のビームフォーミング利得に基づいて、前記ソース装置から前記宛先装置にピアツーピア方式で直接的に前記データを送るのと、前記ソース装置から前記装置を経由して前記宛先装置に前記データを送るのと、どちらが好適であるかを判定するように構成される、
装置。
【請求項４６】
前記受信機は更に、前記ソース装置から前記データを受信するように構成され、
前記送信機は更に、前記受信されたデータを前記宛先装置に転送するように構成され、
前記受信および前記転送は同時に実行される、
請求項４５に記載の装置。
【請求項４７】
前記受信機は更に、前記ソース装置から前記データを受信するように構成され、
前記送信機は更に、前記宛先装置に前記受信されたデータを転送するように構成され、
前記データの全てが、前記宛先装置に転送される前に、前記装置において受信およびバッファされる、
請求項４５に記載の装置。
【請求項４８】
前記ソース装置から前記装置に前記データを送信するためのチャネル時間を前記ソース装置に割り当てるように構成される回路を更に備え、
前記回路は更に、前記宛先において前記データを受信するためのその他のチャネル時間を、前記宛先装置に割り当てるように構成される、
請求項４５に記載の装置。
【請求項４９】
前記ソース装置から前記装置に前記データを送信するための周波数帯域を前記ソース装置に割り当てるように構成される回路を更に備え、
前記回路は更に、前記宛先装置において前記データを受信するためのその他の周波数帯域を、前記宛先装置に割り当てるように構成される、
請求項４５に記載の装置。
【請求項５０】
前記ソース装置から前記装置に前記データを送信するための空間チャネルの第１のセットを、前記ソース装置に割り当てるように構成される回路を更に備え、
前記回路は更に、前記宛先装置において前記データを受信するための空間チャネルの第２のセットを前記宛先装置に割り当てるように構成される、
請求項４５に記載の装置。
【請求項５１】
前記データの一部分は、前記ソース装置から受信され、前記ソース装置から前記データの別の一部分が受信される前に、前記宛先装置に転送される、
請求項４５に記載の装置。
【請求項５２】
前記送信機は更に、前記データの前記一部分を転送する前に、前記データの前記一部分の受信をアクノレッジするためのアクノレッジメントメッセージを前記ソース装置に送信するように構成され、
前記受信機は更に、前記宛先装置において前記データの一部分の受信を示す別のアクノレッジメントメッセージを前記宛先装置から受信するように構成される、
請求項５１に記載の装置。
【請求項５３】
前記プロセッサは更に、
前記ソース装置と前記装置との間のリンクのチャネル条件に基づいて第１のリンク品質を判定し、
前記装置と前記宛先装置との間のリンクのチャネル条件に基づいて第２のリンク品質を判定し、
前記ソース装置と前記宛先装置との間の直接リンクのチャネル条件に基づいて第３のリンク品質を判定し、
前記判定された第１、第２、あるいは第３のリンク品質のうちの少なくとも１つと、選択された変調符号化スキームを使用する前記データの成功伝送のために必要とされるリンク品質の定義されたレベルとを比較する
ように構成される、請求項４５に記載の装置。
【請求項５４】
前記チャネル条件は、信号対雑音比を備える、
請求項５３に記載の装置。
【請求項５５】
前記受信機は更に、前記ソース装置から前記データを受信するように構成され、前記装置は更に、
前記受信されたデータの一部分を復号するように構成される復号器と、
前記データの前記復号された一部分を再符号化するように構成される符号化器と
を備え、前記送信機は更に、前記データの再符号化された一部分を、前記受信されたデータの復号されなかった残りの部分と一緒に転送するように構成される、
請求項４５に記載の装置。
【請求項５６】
前記データの前記復号された一部分はヘッダを備え、前記符号器は更に、前記データの前記復号された一部分を修正するように構成される、
請求項５５に記載の装置。
【請求項５７】
前記送信機は更に、少なくとも１つのチャネル条件についての情報を、前記ソース装置に送信するように構成され、
前記少なくとも１つのチャネル条件は、前記ソース装置と前記装置との間のリンクのチャネル条件か、前記装置と前記宛先装置との間のリンクのチャネル条件かのうちの少なくとも１つを備える、
請求項４５に記載の装置。
【請求項５８】
前記受信機は更に、前記ソース装置が前記装置を経由して前記宛先装置に前記データを送ることを決定したことを示すアナウンスメッセージを備える前記データを前記ソース装置から受信するように構成される、
請求項４５に記載の装置。
【請求項５９】
前記受信機は更に、前記宛先装置のアドレスを備える前記データを前記ソース装置から受信するように構成され、前記装置は更に、
前記アドレスに基づいて、前記受信されたデータは前記宛先装置に転送されるべきであると判定するように構成される回路を備える、
請求項４５に記載の装置。
【請求項６０】
無線通信のための装置であって、
ソース装置とメッセージを交換する手段と、
宛先装置にデータを送るよう求める要求メッセージを、前記ソース装置から受信する手段と、
前記要求メッセージに応答して、前記ソース装置から前記宛先装置にピアツーピア方式で直接的に前記データを送るのと、前記ソース装置から前記装置を経由して前記宛先装置に前記データを送るのと、どちらが好適であるかを判定する手段と、
前記装置を経由して前記宛先装置に前記データを送るのが好適であることを示す確認メッセージを、前記ソース装置および前記宛先装置に送信する手段とを備え、
前記交換する手段は、前記転送装置の伝送電力および前記ソース装置の伝送電力、あるいは前記転送装置の１又は複数のビームフォーミング利得および前記ソース装置の１又は複数のビームフォーミング利得を示す１又は複数のメッセージを交換する手段を備え、
前記判定する手段は、前記転送装置の前記伝送電力および前記ソース装置の前記伝送電力、あるいは前記転送装置の前記１又は複数のビームフォーミング利得および前記ソース装置の前記１又は複数のビームフォーミング利得に基づいて、前記ソース装置から前記宛先装置にピアツーピア方式で直接的に前記データを送るのと、前記ソース装置から前記装置を経由して前記宛先装置に前記データを送るのと、どちらが好適であるかを判定する手段を備える、
装置。
【請求項６１】
前記受信する手段は更に、前記ソース装置から前記データを受信するように構成され、
前記送信する手段は更に、前記受信されたデータを前記宛先装置に転送するように更に構成され、
前記受信および前記転送は同時に実行される、
請求項６０に記載の装置。
【請求項６２】
前記受信する手段は更に、前記ソース装置から前記データを受信するように構成され、
前記送信する手段は更に、前記宛先装置に前記受信されたデータを転送するように構成され、
前記データの全てが、前記宛先装置に転送される前に、前記装置において受信およびバッファされる、
請求項６０に記載の装置。
【請求項６３】
前記ソース装置から前記装置に前記データを送信するためのチャネル時間を前記ソース装置に割り当てる手段と、
前記宛先において前記データを受信するためのその他のチャネル時間を、前記宛先装置に割り当てる手段と
を更に備える、請求項６０に記載の装置。
【請求項６４】
前記ソース装置から前記装置に前記データを送信するための周波数帯域を前記ソース装置に割り当てる手段と、
前記宛先装置において前記データを受信するためのその他の周波数帯域を、前記宛先装置に割り当てる手段と
を更に備える、請求項６０に記載の装置。
【請求項６５】
前記ソース装置から前記装置に前記データを送信するための空間チャネルの第１のセットを、前記ソース装置に割り当てる手段と、
前記宛先装置において前記データを受信するための空間チャネルの第２のセットを前記宛先装置に割り当てる手段と
を更に備える、請求項６０に記載の装置。
【請求項６６】
前記データの一部分は、前記ソース装置から受信され、前記ソース装置から前記データの別の一部分が受信される前に、前記宛先装置に転送される、
請求項６０に記載の装置。
【請求項６７】
前記送信する手段は更に、前記データの前記一部分を転送する前に、前記データの前記一部分の前記受信をアクノレッジするためのアクノレッジメントメッセージを前記ソース装置に送信するように構成され、
前記受信する手段は更に、前記宛先装置において前記データの前記一部分の受信を示す別のアクノレッジメントメッセージを前記宛先装置から受信するように構成される、
請求項６６に記載の装置。
【請求項６８】
前記判定する手段は、
前記ソース装置と前記装置との間のリンクのチャネル条件に基づいて第１のリンク品質を判定する手段と、
前記装置と前記宛先装置との間のリンクのチャネル条件に基づいて第２のリンク品質を判定する手段と、
前記ソース装置と前記宛先装置との間の直接リンクのチャネル条件に基づいて第３のリンク品質を判定する手段と、
前記判定された第１、第２、あるいは第３のリンク品質のうちの少なくとも１つと、選択された変調符号化スキームを使用する前記データの成功伝送のために必要とされるリンク品質の定義されたレベルとを比較する手段と
を備える、請求項６０に記載の装置。
【請求項６９】
前記チャネル条件は、信号対雑音比を備える、
請求項６８に記載の装置。
【請求項７０】
前記受信する手段は更に、前記ソース装置から前記データを受信するように構成され、前記装置は更に、
前記受信されたデータの一部分を復号する手段と、
前記データの前記復号された一部分を再符号化する手段と
を備え、前記送信する手段は更に、前記データの前記再符号化された一部分を、前記受信されたデータの復号されなかった残りの部分と一緒に転送するように構成される、
請求項６０に記載の装置。
【請求項７１】
前記データの前記復号された一部分はヘッダを備え、
前記再符号化する手段は、前記データの前記復号された一部分を修正する手段を備える、
請求項７０に記載の装置。
【請求項７２】
前記送信する手段は更に、少なくとも１つのチャネル条件についての情報を、前記ソース装置に送信するように構成され、
前記少なくとも１つのチャネル条件は、前記ソース装置と前記装置との間のリンクのチャネル条件か、前記装置と前記宛先装置との間のリンクのチャネル条件かのうちの少なくとも１つを備える、
請求項６０に記載の装置。
【請求項７３】
前記受信する手段は更に、前記ソース装置が前記装置を経由して前記宛先装置に前記データを送ることを決定したことを示すアナウンスメッセージを備える前記データを前記ソース装置から受信するように構成される、
請求項６０に記載の装置。
【請求項７４】
前記受信する手段は更に、前記宛先装置のアドレスを備える前記データを前記ソース装置から受信するように構成され、前記装置は更に、
前記アドレスに基づいて、前記受信されたデータは前記宛先装置に転送されるべきであると判定する手段を備える、
請求項６０に記載の装置。
【請求項７５】
命令群を備える、転送装置による無線通信のためのコンピュータプログラムであって、前記命令群は、
ソース装置とメッセージを交換し、
宛先装置にデータを送るよう求める要求メッセージを、前記ソース装置から受信し、
前記要求メッセージに応答して、前記ソース装置から前記宛先装置にピアツーピア方式で直接的に前記データを送るのと、前記ソース装置から前記転送装置を経由して前記宛先装置に前記データを送るのと、どちらが好適であるかを判定し、
前記転送装置を経由して前記宛先装置に前記データを送るのが好適であることを示す確認メッセージを、前記ソース装置および前記宛先装置に送信し、
前記交換は、前記転送装置の伝送電力および前記ソース装置の伝送電力、あるいは前記転送装置の１又は複数のビームフォーミング利得および前記ソース装置の１又は複数のビームフォーミング利得を示す１又は複数のメッセージを交換することを備え、
前記判定は、前記転送装置の前記伝送電力および前記ソース装置の前記伝送電力、あるいは前記転送装置の前記１又は複数のビームフォーミング利得および前記ソース装置の前記１又は複数のビームフォーミング利得に基づいて、前記ソース装置から前記宛先装置にピアツーピア方式で直接的に前記データを送るのと、前記ソース装置から前記転送装置を経由して前記宛先装置に前記データを送るのと、どちらが好適であるかを判定する
ように前記転送装置のコンピュータによって実行可能である、コンピュータプログラム。
【請求項７６】
無線ノードであって、
少なくとも１つのアンテナと、
ソース装置とメッセージを交換し、宛先無線ノードにデータを送るよう求める要求メッセージを、少なくとも１つのアンテナによって前記ソース無線ノードから受信するように構成されるトランシーバと、
前記要求メッセージに応答して、前記ソース無線ノードから前記宛先無線ノードにピアツーピア方式で直接的に前記データを送るのと、前記ソース無線ノードから前記無線ノードを経由して前記宛先無線ノードに前記データを送るのと、どちらが好適であるかを判定するように構成されるプロセッサと
を備え、前記トランシーバは、前記無線ノードを経由して前記宛先装置に前記データを送るのが好適であることを示す確認メッセージを、前記ソース無線ノードおよび前記宛先無線ノードに、前記少なくとも１つのアンテナによって送信するように構成され、
前記交換は、前記無線ノードの伝送電力および前記ソース無線ノードの伝送電力、あるいは前記無線ノードの１又は複数のビームフォーミング利得および前記ソース無線ノードの１又は複数のビームフォーミング利得を示す１又は複数のメッセージを交換することを備え、
前記判定は、前記無線ノードの前記伝送電力および前記ソース無線ノードの前記伝送電力、あるいは前記無線ノードの前記１又は複数のビームフォーミング利得および前記ソース無線ノードの前記１又は複数のビームフォーミング利得に基づいて、前記ソース無線ノードから前記宛先無線ノードにピアツーピア方式で直接的に前記データを送るのと、前記ソース無線ノードから前記無線ノードを経由して前記宛先無線ノードに前記データを送るのと、どちらが好適であるかを判定することを備える、
無線ノード。
【発明の詳細な説明】
【関連出願】
【０００１】
本願は、２００９年１０月２９日に提出された米国特許仮出願６１／２５５，９７１号の利益に対する権利を主張する。上記出願は譲受人に譲渡され、参照によって本明細書に明確に組み込まれる。
【技術分野】
【０００２】
本開示のある態様は一般に無線通信に関し、特に、高性能な無線デバイスによるピアツーピア・トランザクションにおけるデータの転送に関する。
【背景技術】
【０００３】
ハンドヘルド／移動無線デバイスは、例えば、伝送電力およびビームフォーミング性能の観点から、アクセスポイントあるいはその他のハイエンドデバイスに比べて制限された性能を有している場合がある。更に、２つの無線デバイスが高い性能を有している場合でも、ネットワーク配置は、それらの間のリンクにおけるパスロスおよび／あるいはシャドーイングが著しく強くなるようなものである可能性がある。
【０００４】
したがって、２つの移動局間でのピアツーピア通信の間、これらのピア局は高速通信のための強いリンクを形成するのに十分なリソースを有していない可能性がある。これは、深刻なパスロスが指向性通信の使用を必要とする高周波数リンクにおいて悪化しうる。
【発明の概要】
【０００５】
ある態様は、ソース装置による無線通信のための方法を提供する。この方法は一般的に、宛先装置にデータを転送することができる装置とメッセージを交換することと、メッセージの交換に基づいて、転送装置を経由してデータを宛先装置に送るか、宛先装置に直接的にデータを送るかを判定（determine）することと、判定に基づいて宛先装置にデータを送信することとを含む。
【０００６】
ある態様は、無線通信のための装置を提供する。この装置は一般に、宛先装置にデータを転送することができる装置とメッセージを交換するように構成されるトランシーバと、メッセージの交換に基づいて、転送装置を経由してデータを宛先装置に送るか、宛先装置に直接的にデータを送るかを判定するように構成されるプロセッサとを含み、このトランシーバは更に、判定に基づいて宛先装置にデータを送信するように構成される。
【０００７】
ある態様は、無線通信のための装置を提供する。この装置は一般に、宛先装置にデータを転送することができる装置とメッセージを交換する手段と、メッセージの交換に基づいて、転送装置を経由して宛先装置にデータを送るのか、宛先装置に直接的にデータを送るのかを判定する手段と、判定に基づいて宛先装置にデータを送信する手段とを含む。
【０００８】
ある態様は、ソース装置による無線通信のためのコンピュータプログラム製品を提供する。コンピュータプログラム製品は、命令群を備えるコンピュータ可読媒体を含み、この命令群は、データを宛先装置に転送することができる装置とメッセージを交換し、メッセージの交換に基づいて、転送装置を経由して宛先装置にデータを送るのか、宛先装置に直接的にデータを送るのかを判定し、判定に基づいて宛先装置にデータを送信するように実行可能である。
【０００９】
ある態様は無線ノードを提供する。無線ノードは一般的に、少なくとも１つのアンテナと、宛先無線ノードにデータを転送できる別の無線ノードと少なくとも１つのアンテナによってメッセージを交換するように構成されるトランシーバと、メッセージの交換に基づいて、転送無線ノードを経由して宛先無線ノードにデータを送るか、宛先無線ノードに直接的にデータを送るかを判定するように構成されるプロセッサとを含み、このトランシーバは更に、判定に基づいて少なくとも１つのアンテナによって宛先装置にデータを送信するように構成される。
【００１０】
ある態様は、転送装置による無線通信のための方法を提供する。この方法は一般に、宛先装置にデータを送ることを求める要求メッセージをソース装置から受信することと、要求メッセージに応答して、ソース装置から宛先装置に直接的にデータを送るのと、ソース装置から転送装置を経由して宛先装置にデータを送るのと、どちらが好適かを判定することと、転送装置を経由して宛先装置にデータを送るのが好適であることを示す確認メッセージを、ソース装置および宛先装置に送信することを備える。
【００１１】
ある態様は、無線通信のための装置を提供する。この装置は一般的に、宛先装置にデータを送るよう求める要求メッセージを、ソース装置から受信するように構成される受信機と、要求メッセージに応答して、ソース装置から宛先装置に直接的にデータを送るのと、ソース装置から装置を経由して宛先装置にデータを送るのと、どちらが好適であるかを判定するように構成されるプロセッサと、ソース装置から装置を経由して宛先装置にデータを送るのが好適であることを示す確認メッセージを、ソース装置および宛先装置に送信するように構成される送信機とを備える。
【００１２】
ある態様は無線通信のための装置を提供する。この装置は一般に、宛先装置にデータを送るよう求める要求メッセージを、ソース装置から受信する手段と、要求メッセージに応答して、ソース装置から宛先装置に直接的にデータを送るのと、ソース装置から装置を経由して宛先装置にデータを送るのと、どちらが好適であるかを判定する手段と、装置を経由して宛先装置にデータを送るのが好適であることを示す確認メッセージを、ソース装置および宛先装置に送信する手段とを備える。
【００１３】
ある態様は転送装置による無線通信のためのコンピュータプログラム製品を提供する。コンピュータプログラム製品は命令群を備えるコンピュータ可読媒体を備え、前述の命令群は、宛先装置にデータを送るよう求める要求メッセージを、ソース装置から受信し、要求メッセージに応答して、ソース装置から宛先装置に直接的にデータを送るのと、ソース装置から転送装置を経由して宛先装置にデータを送るのと、どちらが好適であるかを判定し、転送装置を経由して宛先装置にデータを送るのが好適であることを示す確認メッセージを、ソース装置および宛先装置に送信するように実行可能である。
【００１４】
ある態様は無線ノードを提供する。無線ノードは一般的に、少なくとも１つのアンテナと、宛先無線ノードにデータを送るよう求める要求メッセージを、少なくとも１つのアンテナによってソース無線ノードから受信するように構成される受信機と、要求メッセージに応答して、ソース無線ノードから宛先無線ノードに直接的にデータを送るのと、ソース無線ノードから無線ノードを経由して宛先無線ノードにデータを送るのと、どちらが好適であるかを判定するように構成されるプロセッサと、無線ノードを経由して宛先装置にデータを送るのが好適であることを示す確認メッセージを、ソース無線ノードおよび宛先無線ノードに、少なくとも１つのアンテナによって送信するように構成される送信機とを含む。
【図面の簡単な説明】
【００１５】
以上に記された本開示の特徴が詳細にわたって理解されうるように、上記で簡潔に要約された本開示のより具体的な説明が態様を参照することによってなされ、実施形態のうちのいくつかは添付図面において示される。しかし、同等に効果的なその他の態様が存在しうることをこの説明が認めているように、添付図面は本開示の特定の典型的な態様を例示しているのみであり、従って、本開示の範囲を限定していると見なされるべきではないということが留意されるべきである。
【図１】図１は、本開示のある態様にしたがって、例示的な無線通信システムを示す。
【図２】図２は、本開示のある態様にしたがって、２つのノードが通信できるようにするシステムを示す。
【図３】図３は、本開示のある態様にしたがって、通信デバイスの例を示す。
【図４】図４は、本開示のある態様にしたがって、移動局（ＳＴＡ）において広いビームパターンを用いる無線ネットワークの例と、アクセスポイント（ＡＰ）において微細なビームパターン用いるアンテナアレイとを示す。
【図５】図５は、本開示のある態様にしたがって、別のＳＴＡに転送されるべきデータをＡＰに送信しうるＳＴＡにおいて実行される動作の例を示す。
【図５Ａ】図５Ａは、図５に示される動作を実行することができる構成要素の例を示す。
【図６】図６は、本開示のある態様にしたがって、ＳＴＡからから受信されるデータを他方のＳＴＡに転送しうるＡＰにおいて実行される動作の例を示す。
【図６Ａ】図６Ａは、図６に示された動作を実行することができる構成要素の例を示す。
【発明を実施するための形態】
【００１６】
本開示の様々な態様が、添付図面を参照して、より完全に以下に説明される。しかし、本開示は、多くの異なる形式で実現されるものであり、本開示にわたって示される任意の特定の構造あるいは機能に限定されると解釈されるべきではない。これらの態様は、本開示を徹底的かつ完璧なものにし、本開示の範囲を当業者に完全に伝達するために提供される。本明細書における教示に基づいて、本開示の範囲は、本明細書において開示される開示の任意の態様を、本開示のその他任意の態様と組み合わせて実施されたか、それらと無関係に実施されたかに関わらず、カバーするよう意図されていることを、当業者は認識するべきである。例えば、本明細書において説明される態様のうちの任意の数を使用して、装置が実現される、あるいは方法が実践される。それに加えて、本開示の範囲は、そういった装置あるいは方法をカバーするよう意図されており、これらは、本明細書において説明される開示の様々な態様に加えて、あるいはそれら以外に、その他の構造や、機能や、あるいは、構造および機能を使用して実践される。本明細書において開示される本開示の任意の態様が、請求項の１又は複数の要素によって実現されうることが理解されるべきである。
【００１７】
単語「例示的（exemplary)」は本明細書において、「例、実例、例示として役立つこと」を意味するように使用される。「例示的」として本明細書において説明される態様は、必ずしもその他の態様より好ましい、あるいは有利なものとして解釈されるものではない。
【００１８】
本明細書において特定の態様が説明されるが、これらの態様の多数の変形および置換が、本開示の範囲内に含まれる。好適な態様のいくつかの利益および利点が述べられるが、本開示の範囲は、特定の利益、用途、あるいは目的に限定されることは意図されていない。むしろ、本開示の態様は、異なる無線技術、システム構成、ネットワークおよび伝送プロトコルに広く適用可能なように意図されており、これらのうちのいくつかは、図面における実例および以下の好適な態様の説明における実例によって示されている。詳細な説明および図面は、添付の請求項およびそれらの同等物によって定義されている本開示の範囲を限定するものではなく、本開示の例示にすぎない。
【００１９】
無線通信システムの例  
本明細書において説明される技術は、直交多重化スキームに基づく通信システムを含む様々なブロードバンド無線通信システムのために使用されうる。このような通信システムの例は、直交周波数分割多元アクセス（ＯＦＤＭＡ）システム、単一キャリア周波数分割多元アクセス（ＳＣ−ＦＤＭＡ）システムなどを含む。ＯＦＤＭＡシステムは、全システム帯域幅を複数の直交サブキャリアに分割する変調技術である直交周波数分割多重化（ＯＦＤＭ）を利用する。これらのサブキャリアは、トーンやビンなどとも呼称されうる。ＯＦＤＭでは、各サブキャリアはデータと共に、独立して変調されうる。ＳＣ−ＦＤＭＡシステムは、システム帯域幅にわたって割り振られたサブキャリアで送信するためにインターリーブされたＦＤＭＡ（ＩＦＤＭＡ）を利用するか、隣接サブキャリアのブロックで送信するためにローカライズされたＦＤＭＡ（ＬＦＤＭＡ）を利用するか、あるいは、隣接サブキャリアの複数のブロックで送信するために改良型ＦＤＭＡ（ＥＦＤＭＡ）を利用しうる。一般的に、変調シンボルは、周波数領域においてＯＦＤＭを用いて、また、時間領域においてＣＳ−ＦＤＭＡを用いて送られる。
【００２０】
直交多重化スキームに基づく通信システムの特定の一例がＷｉＭＡＸシステムである。Worldwide Interoperability for Microwave Accessの略であるＷｉＭＡＸは、長距離にわたる高スループットブロードバンド接続を提供する規格ベースのブロードバンド無線技術である。現在のＷｉＭＡＸの主要なアプリケーションは、フィクスト（fixed）ＷｉＭＡＸおよびモバイル（mobile）ＷｉＭＡＸの２つが存在する。フィクストＷｉＭＡＸアプリケーションはポイントツーマルチポイントであって、例えば、複数の家庭および企業へのブロードバンドアクセスを可能にする。モバイルＷｉＭＡＸは、ブロードバンド速度でのセルラネットワークのフルモビリティを提供する。
【００２１】
ＩＥＥＥ８０２．１６ｘは、フィクストおよびモバイルブロードバンド無線アクセス（ＢＷＡ）システムに対するエアインタフェースを定義するための新興の規格団体である。ＩＥＥＥ８０２．１６ｘは、フィクストＢＷＡシステムに関して、２００４年５月に「ＩＥＥＥ  Ｐ８０２．１６ｄ／Ｄ５−２００４」を承認し、モバイルＢＷＡシステムに関して、２００５年１０月に「ＩＥＥＥ  Ｐ８０２．１６ｅ／Ｄ１２  Ｏｃｔ．２００５」を公表した。ＩＥＥＥ８０２．１６の最新の改定版、ドラフト規格である「ＩＥＥＥ  Ｐ８０２．１６Ｒｅｖ２／Ｄ８  Ｄｅｃｅｍｂｅｒ２００８」は、誤植（corrigendum）およびＩＥＥＥ８０２．１６ｅからのマテリアルを統合している。この規格は、４つの異なる物理レイヤ（ＰＨＹ）および１つの媒体アクセス制御（ＭＡＣ）レイヤを定義する。この４つの物理レイヤのうちのＯＦＤＭおよびＯＦＤＭＡ物理レイヤは、フィクストおよびモバイルＢＭＡエリアのそれぞれにおいて最もポピュラーなものである。
【００２２】
本明細書における教示は、様々な有線あるいは無線装置（例えば、ノード）に組み込まれうる（例えば、その内部において実施される、あるいはそれによって実行される）。いくつかの態様において、本明細書における教示にしたがって実施されるノードは、アクセスポイントあるいはアクセス端末を備えうる。
【００２３】
アクセスポイント（「ＡＰ」）は、ノードＢ、ラジオネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、ラジオルータ、ラジオトランシーバ、基本サービスセット（「ＢＳＳ」）、拡張サービスセット（「ＥＳＳ」）、ラジオ基地局（「ＲＢＳ」）、あるいはその他なんらかの用語として実施されるか、知られているか、あるいはそれらを備えうる。
【００２４】
アクセス端末（「ＡＴ」）は、アクセス端末、サブキャリア局、サブキャリアユニット、モバイル局、遠隔局、遠隔端末、ユーザ端末、ユーザエージェント、ユーザデバイス、ユーザ機器、あるいはその他何らかの用語として実施されるか、知られているか、あるいはそれらを備えうる。いくつかの実施において、アクセス端末はセルラ電話、コードレス電話、セッション開始プロトコル（「ＳＩＰ」）電話、無線ローカルループ（「ＷＬＬ」）局、携帯情報端末（「ＰＤＡ」）、無線接続性能を有するハンドヘルドデバイス、あるいは、無線モデムに接続されたその他なんらかの適切な処理デバイスを備えうる。したがって、本明細書において教示される１又は複数の態様は、電話（例えば、セルラ電話あるいはスマートフォン）、コンピュータ（例えば、ラップトップ）、ポータブル通信デバイス、ポータブルコンピューティングデバイス（例えば、携帯情報端末）、エンターテインメントデバイス（例えば、音楽あるいはビデオデバイス、あるいは衛星ラジオ）、グローバル位置測定システムデバイス、ヘッドセット、センサ、あるいは、無線または有線媒体によって通信するように構成されるその他任意の適切なデバイスに組み込まれうる。いくつかの態様において、ノードは無線ノードである。このような無線ノードは、例えば、有線あるいは無線通信リンクによって、例えば、ネットワーク（例えば、インターネットあるいはセルラネットワークのようなワイドエリアネットワーク）のための又はそれに対する接続性を提供しうる。
【００２５】
図１に関して、本開示の様々な態様にしたがって、無線通信システム１００が示される。システム１００は、複数のアンテナグループを含みうる基地局（すなわち、アクセスポイント）１０２を備える。例えば、１つのアンテナグループは、アンテナ１０４、１０６を含み、別のグループは１０８、１１０を備え、追加のグループはアンテナ１１２、１１４を含みうる。各アンテナグループのために２つのアンテナが示されているが、各グループのためにより多い又は少ないアンテナが利用されうる。基地局１０２は追加的に、送信機チェインおよび受信機チェインを含みうる。それらの各々は、当業者によって理解されるように、信号の送信および受信に関連付けられた複数の構成要素（例えば、プロセッサ、変調器、マルチプレクサ、復調器、デマルチプレクサ、アンテナなど）を備えうる。追加的に、基地局１０２は、ホーム基地局、フェムト基地局、および／あるいはそれらと同様のものでありうる。
【００２６】
基地局１０２は、デバイス１１６のような１又は複数のデバイスと通信しうるが、基地局１０２は、デバイス１１６と同様に実質的に任意の数のデバイスと通信しうるということが理解されるべきである。図示されたように、デバイス１１６は、アンテナ１０４、１０６と通信中でありうる。ここで、アンテナ１０４、１０６は、順方向リンク１１８によって、デバイス１１６に情報を送信し、逆方向リンク１２０によって、デバイス１１６から情報を受信する。周波数分割複信（ＦＤＤ）システムにおいて、順方向リンク１１８は、例えば、逆方向リンク１２０によって使用されるものとは異なる周波数帯域を利用しうる。更に、時分割複信（ＴＤＤ）システムにおいて、順方向リンク１１８および逆方向リンク１２０は、共通の周波数帯域を利用しうる。
【００２７】
それに加え、デバイス１２２、１２４は、ピアツーピア構成のように、互いと通信することができる。更に、デバイス１２２は、リンク１２６、１２８を使用してデバイス１２４と通信中である。ピアツーピア・アドホックネットワークにおいて、デバイス１２２、１２４のような、互いの範囲内にあるデバイスは、それらの通信を中継するための基地局１０２および／あるいは有線インフラストラクチャを用いることなく互いと直接的に通信する。更に、ピアデバイスあるいはノードは、トラフィックを中継しうる。ピアツーピア方式で通信するネットワーク内のデバイスは、基地局と同様に機能し、その他のデバイスにトラフィックあるいは通信を中継し、トラフィックが最終宛先に到達するまで、基地局と同様に機能しうる。デバイスは、ピアノード間でのデータ送信を管理するために利用されうる情報を搬送する制御チャネルを送信しうる。
【００２８】
通信ネットワークは、無線（あるいは有線）通信内の任意の数のデバイスあるいはノードを含みうる。各ノードは、１又は複数のその他のノードの範囲内にあり、その他のノードと通信しうる、又は、マルチホップ・トポグラフィ内のように、その他のノードの利用を通して通信しうる（例えば、通信は最終宛先に到達するまでノードからノードへホップしうる）。例えば、送信側ノードは、受信側ノードと通信することを望みうる。送信側ノードと受信側ノードとの間のパケット転送を可能にするために、１又は複数の中間ノードが利用されうる。任意のノードは送信側ノードおよび／あるいは受信側ノードであり、（例えば、情報を受信するのとおよそ同じ時間に情報をブロードキャストあるいは通信しうるように）実質的に同時に、又は異なる時間に、情報を送信することおよび／あるいは受信することのどちらかの機能を実行しうる。
【００２９】
システム１００は、ネットワークを介する通信セッションを開始しているノードが、セッションを直接接続に移行させることができるように構成されうる。直接的に接続されるノードは、カプセル化を用いることなく、自然に（natively）パケットを交換しうる。いくつかの態様にしたがって、「ホームレス」ノードは、進行中のセッションを失うことなく無線ネットワークに切り替えることができる。「ホームレス」が意味するのは、進行中のセッションを動作したままに保つためのサポートを提供するホームエージェント・エンティティも、ノードの現在の位置に対する新たなセッションを確立するために新たな入力要求を転送するホームエージェント・エンティティも有していないということである。いくつかの態様にしたがって、ノードはモバイル（例えば、無線）か、スタティック（例えば、有線）か、あるいはそれらの組み合わせ（例えば、１つ目はスタティックのノードで２つ目はモバイルのノード、両方ともモバイルのノード、など）でありうる。
【００３０】
図２は、様々な態様にしたがって、２つのノードが、ワイドエリアネットワーク・インタフェースおよび／あるいはデバイスツーデバイス・インタフェースによって通信できるようにするシステム２００を示す。システム２００には、第１のノード（ノード１）２０２および第２のノード（ノード２）２０４が含まれる。各ノード２０２、２０４は、少なくとも２つのインタフェースを含む。第１のインタフェースは、インターネットプロトコル（ＩＰ）アドレスを提供するネットワーク２０６に接続されうる。例えば、ネットワークは、ワイドエリアネットワーク（ＷＡＮ）、ローカルエリアネットワーク（ＬＡＮ）、ホームネットワーク、デジタルサブキャリアライン（ＤＳＬ）、ケーブル、３ＧＰＰベース、３ＧＰＰ２ベース、あるいは、対象のネットワーク（例えば、インターネット）に相互接続性およびルーティングを提供するその他任意の技術でありうる。
【００３１】
ノード２０２、２０４のインタフェースは、有線（例えば、デバイスツーデバイス）、無線（例えば、ＷＡＮ）、あるいはそれらの組み合わせでありうる。例えば、ノード１インタフェースが無線であり、ノード２インタフェースが有線であるか、ノード２インタフェースが無線であり、ノード１インタフェースが有線であるか、両方のインタフェースが無線であるか、両方のインタフェースが有線でありうる。
【００３２】
例示のために、各ノード２０２、２０４の第１のインタフェースは、ＷＡＮインタフェース２０８、２１０である。ＷＡＮインタフェース２０８、２１０は、リンク２１２、２１４によって示されるネットワーク２０６による接続を提供する。更に、各ノード２０２、２０４は、ピアに直接接続されたローカルネットワークか、マルチホップメッシュ・ネットワークに接続された少なくとも第２のインタフェースを含む。例えば、ローカルネットワークは、無線ローカルエリア・ネットワーク（ＷＬＡＮ）であるか、あるいは、別のデバイスツーデバイス（例えば、ピアツーピア）技術でありうる。例示のために、各ノード２０２、２０４の第２のインタフェースは、デバイスツーデバイス（Ｄ２Ｄ）インタフェース２１６、２１８として示される。Ｄ２Ｄインタフェース２１６、２１８は、ノード２０２、２０４が直接リンク２２０によって示される直接通信を実行することができるようにする。
【００３３】
ネットワーク２０６によってセッションを開始させ、（例えば、直接リンク２２０によって）直接セッションに移行するための様々な態様に従う手順が以下に説明される。例示を目的として、ノード１ ２０２がモバイルインターネットプロトコルを利用することが仮定される。通信は、モバイルＩＰホームアドレスをソースアドレスとして利用するノード１ ２０２によって実行される。ホームアドレスは、ノードに割り当てられるユニキャスト・ルーティング可能アドレスであり、ノードの恒久アドレスとして使用される。ノード１ ２０２は、それぞれの第１のインタフェース（例えば、ＷＡＮインタフェース２０８、２１０）によってパケットを送信および受信することによって、ネットワーク２０６（例えば、ＷＡＮ）を介してノード２ ２０４と通信する。パケットは、様々な態様にしたがって、ネットワーク２０６に含まれうる、ホームエージェントに対するＭＩＰｖ６トンネルにおいて、あるいは、直接的にノード２ ２０４に対するルート最適化トンネルにおいてカプセル化されうる。
【００３４】
図３は、例示的な態様にしたがって、例示的な第１の通信デバイス３００を示す。例示的な第１の通信デバイス３００は、例えば、図１の無線通信デバイス（１０２、１１６、１２２、１２４）のうちの１つであるか、図２の無線通信デバイス（２０２、２０４）のうちの１つである。
【００３５】
第１の通信デバイス３００は、様々な要素（３０２、３０４）がデータおよび情報を相互交換しうるバス３０９によって一緒に結合されるプロセッサ３０２およびメモリ３０４を含む。通信デバイス３００は、図示されるように、プロセッサ３０２に結合されうる入力モジュール３０６および出力モジュール３０８を更に含む。しかし、いくつかの態様において、入力モジュール３０６および出力モジュール３０８は、プロセッサ３０２に対して内側に位置する。入力モジュール３０６は入力信号を受信しうる。入力モジュール３０６は、いくつかの態様においてそうであるように、無線受信機、および／あるいは入力を受信するための有線又は光学入力インタフェースを含みうる。出力モジュール３０８は、いくつかの態様が含んでいるように、無線送信機、および／あるいは出力を送信するための有線又は光学出力インタフェースを含みうる。
【００３６】
プロセッサ３０２は、第２の通信デバイスから第１の信号を受信し、第１の信号がアプリケーションアラート測定基準を満たす場合は第１のアプリケーションアラートを生成し、第２の通信デバイスからの前の信号に基づいて、第２の通信デバイス情報を搬送する第２の信号をアクセスポイントから受信するように構成される。このアクセスポイントは、基地局でありうる、また、基地局であることがある。いくつかの態様では、第２の通信デバイス情報は位置情報である。様々な態様において、プロセッサ３０２は、第１の信号を受信するように構成される一環として、無線ピアツーピアインタフェースによって第１の信号を受信するように構成される。いくつかの態様では、プロセッサ３０２は、第２の信号を受信するように構成される一環として、無線ワイドエリアネットワークインタフェースによって第２の信号を受信するように構成される。
【００３７】
プロセッサ３０２は更に、第２の信号に含まれる第２の通信デバイス情報と、第１の信号に含まれる情報とに基づいて、実行する動作を判定するように構成される。１つの例示的な態様では、第２の信号に含まれる第２の通信デバイス情報は、第２の通信デバイスの前の位置についての情報であり、第１の信号に含まれる情報は、現在の位置情報であり、前述の動作は位置ベースのトラフィック更新動作と位置ベースの広告更新動作とのうちの１つである。プロセッサ３０２は更に、いくつかの態様では、生成された第１のアプリケーションアラートに応答して、第２の通信デバイスに対応する情報を要求する情報要求信号をアクセスポイントに送るように構成される。
【００３８】
本開示のある態様は、図１のＡＰ１０２のような、アクセスポイント（ＡＰ）あるいは別の高性能無線デバイスが、デバイス１２２からデバイス１２４へといったように、１つのデバイス（すなわち、ピア）から別のデバイスへトラフィックを転送するためのメカニズムを支援する。ＡＰ経由で転送することが直接的なピアツーピア通信よりも有益なのはいつであるかを決定(decide)するための測定基準がまた本開示において提案される。
【００３９】
問題設定  
６０ＧＨｚ帯域におけるこれらの動作のような、高周波数無線ネットワークにおける深刻なパスロスのために、これらのシステムは指向性通信に大きく依存することが予期される。フリース方程式、  
【数１】
0005524342.tif 000002
【００４０】
によって、受信される電力（したがって、受信される信号対雑音比（ＳＮＲ））は、送信機および受信機におけるアンテナ利得の積、それぞれ、ＧＴＸおよびＧＲＸに比例しうる。式（１）におけるＰＴＸは伝送電力を表し、ｄは送信機および受信機間の距離であり、ｃは伝送信号の速度であり、ｆｃは搬送周波数である。
【００４１】
プラグ接続された電力供給と、（移動およびハンドヘルドデバイスと比べて）より高い処理電力をサポートする能力とを有することによって、ＡＰが大きなアンテナアレイを使用することが可能になる。このようなＡＰは、狭ビームをユーザ局（ＳＴＡ）に向かってステアリングするためにビームフォーミングを使用するときに、非常に大きなアンテナ利得を取得しうる。その一方で、コスト、空間、および電力の制限は、ハンドヘルドおよび／あるいはポータブルＳＴＡが多くのアンテナ要素を有することや、あるいは、複合ビームフォーミング・アルゴリズムを使用することを阻みうる。
【００４２】
ハンドヘルドＳＴＡがＡＰと通信するとき、式（１）におけるＳＴＡの比較的小さなアンテナ利得は、ＡＰの高いアンテナ利得によって補償されうる。しかし、制限されたビームフォーミング機能を有する２つのハンドヘルドＳＴＡがピアツーピア方式で直接的に通信する場合に、結果として生じる弱リンクバジェットは、ＳＴＡ対ＳＴＡリンクのスループットを厳しく制限しうる。更に、２つのＳＴＡ間の直接経路が、壁やそれより小さな物体のような障害物によって遮られうる間、ＡＰは天井のようなより高いポイントに据え付けられうるので、２つのＳＴＡの各々はＡＰへの見通し線（ＬＯＳ）経路を有している可能性が高い。このようなシナリオの例は、パーティションを有するオフィス空間におけるものである。ここでは、ＳＴＡの各々が天井に据え付けられたＡＰに対するＬＯＳを有しうるが、それらが相互的にＬＯＳを有していないことがある。
【００４３】
別のシナリオでは、２つのＳＴＡが、無線ネットワークの２つの遠端に位置しうるために、高スループット通信を実行するにはそれらの間のパスロスが激しすぎることがある。２つの局の各々から第３の局へのパスロスが、２つのＳＴＡ間でのパスロスよりも非常に小さくなりうるように、第３のＳＴＡ、恐らくＡＰは位置決めされうる。このような状況の例は、住宅におけるホームネットワークである。ここでは、セットアップボックスおよびＴＶが、住宅の遠端に置かれうるが、それらの間にはＡＰミッドウェイ（midway）が存在しうる。
【００４４】
上述されたシナリオでは、２つのＳＴＡ間のリンクは、ＡＰ／第３のＳＴＡと２つのＳＴＡの各々との間のものよりも非常に低いキャパシティを有しうる。したがって、２つのＳＴＡが通信する必要がある場合、２つのＳＴＡが直接的に通信するのではなく、それらの間でトラフィックを転送することが、ＡＰ／第３のＳＴＡにとって、より有益でありうる。
【００４５】
ピアツーピア・トラフィックの転送についての測定基準  
図４は、本開示の特定の態様にしたがって、移動局において広いビームパターンを用いる無線ネットワークの例とアクセスポイント（ＡＰ）において微細なビームパターンを有するアンテナアレイとを示す。局（ＳＴＡ）４０２は、別のＳＴＡ４０４にデータを送信することを意図しうる。ＳＴＡ４０２からＳＴＡ４０４への直接リンク４０８において観測される信号対雑音比（ＳＮＲ）は、ＳＮＲ０によって表され、また、ＳＴＡ４０２からＡＰ４０６へのリンク４１０において観測されるＳＮＲと、ＡＰ４０６からＳＴＡ４０４へのリンク４１２において観測されるＳＮＲは、それぞれＳＮＲ１、ＳＮＲ２によって表され、複素次元毎に定義されうる。これらのリンクの各々において、可能性のある最善の送信および受信ビームパターンが利用されうる。
【００４６】
ＳＮＲ０が、ＳＴＡ４０２からＳＴＡ４０４への高スループット伝送を支援するには低すぎ、ＳＮＲ１、ＳＮＲ２が両方ともＳＮＲ０よりも非常に高く、トラフィックはＡＰ４０６による通信の追加的なレイテンシを許容しうる、といったような、いくつかの条件が満たされうる。このケースでは、ＳＴＡ４０２はＳＴＡ４０４に直接的にデータを送る代わりにＡＰ４０６にそれらを送信し、ＡＰ４０６はＳＴＡ４０４にデータを転送しうる。
【００４７】
以前のネゴシエーションによって、ＡＰ４０６および／あるいはＳＴＡ４０２は、ＳＮＲ０と、ＳＮＲ１と、ＳＮＲ２との値に気付きうる。更に、ＳＮＲが意図された通信中に著しく変化することがないように、チャネルは比較的、定常でありうる。付加白色ガウス雑音（ＡＷＧＮ）チャネルのキャパシティに関するシャノンの公式を使用して、複合チャネル４０８、４１０、４１２のスペクトル効率は、Ｃ０、Ｃ１、Ｃ２によってそれぞれ表され、下記のように算出されうる。  
Ｃｉ＝ｌｏｇ２（１＋ＳＮＲｉ）bits/sec/Hz      （式２）  
転送中、ＳＴＡ４０２からＡＰ４０６へのデータパケットの成功伝送は、これがＡＰ４０６からＳＴＡ４０４に転送される前に完了している必要がある。更に、送信されたデータパケットは長い可能性がある。つまり、伝送のために使用されるチャネル時間は、オーバヘッドと、処理時間と、送信機および受信機間の信号トラベル時間とによって判定されるよりも、パケット長に比例しうる。
【００４８】
キャパシティＣｉを有するチャネルによってデータパケットを送信するために使用されるチャネル時間は下記のように概算される。  
【数２】
0005524342.tif 000003
【００４９】
ここで、αは、パケット長の関数である定数であり、システム仕様である。ＡＰ転送が有益であるかどうかを決定するために、直接伝送によって使用される全チャネル時間ＴＤは、転送のために使用されるチャネル時間ＴＦＷに対して比較されうる。式（２）および（３）を組み合わせることによって、ＴＤおよびＴＦＷは下記のように推定されうる。  
【数３】
0005524342.tif 000004
【００５０】
更に、可能性のある変調および符号化スキーム（ＭＣＳ）のリストは、無線規格によって定義されることが多いので、定義されたＭＣＳのうちの最も信頼できるＭＣＳを使用するデータパケットの成功伝送のために必要とされる最小ＳＮＲ値が、考察される必要がありうる。この特定のＳＮＲ値は、ＳＮＲｍｉｎによって表されうる。
【００５１】
上記を要約することによって、直接伝送とＡＰ転送のどちらかに決定するためのプロトコルがＡＰに対して（あるいは、その他の高性能デバイスに対して）提案される。ＡＰ（例えば、図４のＡＰ４０６）は最初に、リンク４０８、４１０、４１２のＳＮＲ値であるＳＮＲ０、ＳＮＲ１、ＳＮＲ２をそれぞれ取得しうる。ＳＮＲ０＜ＳＮＲｍｉｎであるが、ＳＮＲ１＞ＳＮＲｍｉｎかつＳＮＲ２＞ＳＮＲｍｉｎの場合、ＡＰ転送が選択されうる。ＳＮＲ０＞ＳＮＲｍｉｎであるが、ＳＮＲ１＜ＳＮＲｍｉｎあるいはＳＮＲ２＜ＳＮＲｍｉｎのいずれかである場合、ＳＴＡ４０２からＳＴＡ４０４への直接伝送が選択されうる。ＳＮＲ０＜ＳＮＲｍｉｎ、ＳＮＲ１＜ＳＮＲｍｉｎ、およびＳＮＲ２＜ＳＮＲｍｉｎである場合、信頼できる伝送はどちらのスキームを使用しても不可能でありうる。  
【数４】
0005524342.tif 000005
【００５２】
である場合、直接通信が選択されうる。そうでない場合は、ＡＰ転送が選択されうる。
【００５３】
ピアツーピア・トラフィックの転送のためのプロトコル  
ＡＰ転送性能は、ビーコン内あるいはその他の制御メッセージ内の情報要素（ＩＥ）を使用して、ＡＰによって周期的にアナウンスされうる。転送可能ＳＴＡは、関連メッセージにおける転送性能をアナウンスしうる。リンク品質、トラフィックタイプ、およびその他の考慮事項に基づいて、ソースＳＴＡ（例えば、図４のＳＴＡ４０２）あるいはＡＰの、より高いレイヤセクションによって、ＡＰ転送をオプションとして考慮するという決定が行われうる。転送処理は、宛先ＳＴＡ（例えば、図４のＳＴＡ４０４）の物理レイヤ（ＰＨＹ）およびメディアアクセス制御（ＭＡＣ）レイヤに対して大部分が透過的でありうる。ＳＴＡ４０４は、ＡＰのみと通信しているかのように、受信およびアクノレッジメントを実行しうる。
【００５４】
ＳＴＡ４０２あるいはＡＰ４０６のいずれかがＡＰ転送をオプションとして考慮すると決定すると、全ての対象（involving）ＳＴＡは、ＡＰ転送を支援する場合に、２つのピア局間でデータ通信を実行するために以下のプロトコルが利用されることができる。ＳＴＡ４０２は、ＡＰ転送をオプションとして考慮することを決定した場合、転送要求メッセージをＡＰ４０６に送りうる。本開示の一態様では、ＳＴＡ４０２は、好適なアンテナパターンを使用して、転送要求メッセージを送信しうる。この要求は、様々なトラフィックパラメータを含みうる。本開示の別の態様では、ＳＴＡ４０２は、オムニビームを使用することによって、ＡＰ４０６およびＳＴＡ４０４の両方に転送要求を送りうる。ＡＰ４０６は、ＡＰ転送要求アクノレッジメントをＳＴＡ４０２に送ることによって、転送要求の受信および承認（acceptance）をアクノレッジしうる。
【００５５】
ＡＰ４０６は、ＡＰ転送がＳＴＡ４０２とＳＴＡ４０４との間の直接通信に対して好適であるかどうかを決定するために、上記で提案された方法を実行しうる。直接通信が好適である場合、ＡＰ４０６はＡＰ転送否認メッセージをＳＴＡ４０２に送信し、転送プロトコルが終了しうる。その一方で、ＡＰ転送がＡＰ４０６によって選択される場合、ＡＰはＡＰ転送確認メッセージをＳＴＡ４０２およびＳＴＡ４０４に送信して、ＡＰが何らかのトラフィックをＳＴＡ４０２からＳＴＡ４０４に転送しうることをアナウンスしうる。
【００５６】
本開示の一態様では、ＡＰ４０６がＳＴＡ４０２ためにチャネル時間を割り当てて、そのパケットのうちのいくつかをＡＰ４０６に送信し、また、ＳＴＡ４０４にその他のチャネル時間を割り当てて、転送パケットをＡＰ４０６から受信しうる。別の態様では、ＡＰ４０６は、ＳＴＡ４０２とＡＰ４０６との間のデータ伝送のために特定の周波数帯域を割り当て、ＳＴＡ４０４におけるデータ受信のためにその他の恐らく異なる周波数帯域を割り当てうる。更に別の態様では、ＡＰ４０６が、ＳＴＡ４０２とＡＰ４０６との間のデータ伝送のために空間チャネルのセットを割り当て、ＡＰ４０６からＳＴＡ４０４へのデータ転送のために空間チャネルの別のセットを割り当てうる。
【００５７】
転送は、１ホップで実行されうる、すなわち、ＳＴＡ４０２は全てのデータを送り、ＡＰ４０６はそれらを受信およびバッファし、その後、ＡＰ４０６は全てのデータをＳＴＡ４０４に転送しうる。代替的に、転送は、複数のホップで実行されうる、すなわち、データパケットは複数のサイクルで送信および転送されうる。
【００５８】
本開示の一態様では、ＡＰ４０６は、ＳＴＡ４０２から受信されたデータパケット全体を復号し、それを再符号化し、最終的にＳＴＡ４０４に送信しうる。事前符号化中、データパケットのヘッダに対するいくつかの変更が適用されうる。別の態様では、ＡＰ４０６はＳＴＡ４０２から受信されたデータパケットの一部分（例えば、ヘッダ）のみを復号しうる。復号された一部分はその後、恐らくそのコンテンツに適用されるいくつかの変更と共に、再符号化されうる。パケットの残り（すなわち、パケットの復号されていない部分）は、ＳＴＡ４０４に転送される前に、ＡＰ４０６においてダウンコンバートされ、その後アップコンバートされるのみでありうる。パケットのこの残りの部分は、パケットの再符号化された部分と一緒にＡＰ４０６からＳＴＡ４０４に送信されうる。
【００５９】
本開示の更に別の態様では、ＡＰ４０６はパケットのいずれの部分も復号および再符号化することなく、ＳＴＡ４０２から受信されるデータパケットを転送しうる。代わりに、ＡＰ４０６は、受信されるダウンコンバートされたデータサンプルをアップコンバートし、その後、それらをＳＴＡ４０４に送信するのみでありうる。ＡＰ４０６からＳＴＡ４０４へのデータ伝送は、リアルタイムで（すなわち、定義された小さい遅延を伴いＡＰ４０６におけるデータの受信と同時に）実行されうる。代替的に、ＡＰ４０６からＳＴＡ４０４へのデータ伝送は、ＡＰ４０６におけるデータ受信とは別個の期間において実行されうる。このケースにおいて、パケット全体が最初に、ＳＴＡ４０４に転送される前に、ＡＰ４０６においてバッファされうる。
【００６０】
各パケットのアクノレッジメント処理は、通常のデータ交換と同様に、パケットがＳＴＡ４０４に転送される前に、ＡＰ４０６とＳＴＡ４０２との間で完了しうる。同様に、ＳＴＡ４０４は、ＳＴＡ４０２とではなく、ＡＰ４０６とのアクノレッジメント処理を実行しうる。本開示の特定の態様は、ＳＴＡ４０４からのアクノレッジメントがＡＰ４０６によってＳＴＡ４０２に転送されることを支援する。これは、ＳＴＡ４０２から受信されるパケットをＡＰ４０６においてバッファするという要件を取り除きうる。
【００６１】
本開示の一態様では、ＡＰ４０６は、ＳＴＡ４０２を含むネットワークにおける少なくとも１つのＳＴＡに、ネットワークにおけるＡＰ４０６と複数のＳＴＡとの間のリンクのチャネル条件を通知しうる。したがって、ＡＰ４０６は、ＡＰ４０６とＳＴＡ４０２との間のリンクのチャネル条件について、また、ＡＰ４０６とＳＴＡ４０４との間のリンクのチャネル条件について、ＳＴＡ４０２に通知しうる。この情報と、ＳＴＡ４０２とＳＴＡ４０４との間の直接リンクの知られているチャネル条件とに基づいて、ＳＴＡ４０２は、ＡＰ４０６経由でＳＴＡ４０４にデータを送るのと、ＳＴＡ４０４に直接的にデータを送るのとどちらが好適であるかを決定しうる。
【００６２】
この判定に基づいて、ＳＴＡ４０２は、ＡＰ４０６経由でＳＴＡ４０４にデータを送ることを決定しうる。このケースにおいて、ＳＴＡ４０２は、この決定に関する要求あるいはアナウンスメッセージをＡＰ４０６に送りうる。アナウンスメッセージは、ＡＰ４０６によってＳＴＡ４０４に転送されるデータに組み込まれうる。代替的に、ＡＰ４０６経由でＳＴＡ４０４にデータを送る決定についての追加的なメッセージを送る代わりに、ＳＴＡ４０２は、データのための最終宛先がＳＴＡ４０４であると示すインジケーションをデータ内に含めうる。このインジケーションは、ＳＴＡ４０４のアドレスを備えうる。データを受信すると、ＡＰ４０６は、受信されたデータに組み込まれたインジケーションに基づいて、ＳＴＡ４０４に受信されたデータを転送することを知ることができる。
【００６３】
図５は、本開示の特定の態様にしたがって、宛先装置にデータを転送することができる装置にデータを送信しうるソース装置において実行される動作例５００を示す。ソース装置は、図４のＳＴＡ４０２であり、転送装置はＡＰ４０６であり、宛先装置はＳＴＡ４０４でありうる。５０２において、ソース装置は、転送装置とメッセージを交換しうる。５０４において、メッセージの交換に基づいて、転送装置を経由して宛先装置にデータを送るか、宛先装置に直接的にデータを送るかが判定されうる。５０６において、ソース装置は、判定に基づいて宛先装置にデータを送信しうる。
【００６４】
本開示の態様では、メッセージの交換は、転送装置の指向性性能およびソース装置の指向性性能を示す１又は複数のメッセージを交換することを備えうる。その後、転送装置の指向性性能とソース装置の指向性性能とに基づいて、転送装置を経由して宛先装置にデータを転送するのと、宛先装置に直接的にデータを送るのとどちらが好適であるかが（転送装置とソース装置のいずれかにおいて）判定されうる。
【００６５】
本開示の別の態様では、メッセージの交換は、転送装置の伝送電力およびソース装置の伝送電力を示す１又は複数のメッセージを交換することを備えうる。その後、転送装置の伝送電力とソース装置の伝送電力とに基づいて、転送装置を経由して宛先装置にデータを転送するのと、宛先装置に直接的にデータを送るのとどちらが好適であるかが（転送装置とソース装置のいずれかにおいて）判定されうる。
【００６６】
本開示の更に別の態様では、メッセージの交換は、転送装置の１又は複数のビームフォーミング利得とソース装置の１又は複数のビームフォーミング利得とを示す１又は複数のメッセージを交換することを備えうる。その後、転送装置の１又は複数のビームフォーミング利得とソース装置の１又は複数のビームフォーミング利得とに基づいて、転送装置を経由して宛先装置にデータを転送するのと、宛先装置に直接的にデータを送るのと、どちらが好適であるかが（転送装置とソース装置のいずれかにおいて）判定されうる。
【００６７】
図６は、本開示の特定の態様にしたがって、ソース装置から宛先装置にデータを転送しうる転送装置において実行される動作例６００を示す。６０２において、転送装置は、データを宛先装置に送るよう求める要求メッセージをソース装置から受信しうる。６０４において、要求メッセージに応答して、転送装置は、ソース装置から宛先装置に直接的にデータを送るのと、ソース装置から転送装置を経由して宛先装置にデータを送るのと、どちらが好適であるかを判定しうる。６０６において、転送装置は、転送装置を経由して宛先装置にデータを送ることが好適であると示す確認メッセージを、ソース装置および宛先装置に送信しうる。確認メッセージに応答して、ソース装置は転送装置にデータを送信し、その後、データは転送装置から宛先装置に転送されうる。
【００６８】
上述された方法の様々な動作は、対応する機能を実行することができる任意の適切な手段によって実行されうる。この手段は、回路、特定用途向け集積回路（ＡＳＩＣ）、あるいはプロセッサを含むが、それらに限定はされない、様々なハードウェア、および／あるいは（複数の）ソフトウェア構成要素、および／あるいは（複数の）モジュールを含みうる。一般的に、図に示される動作が存在する場合において、これらの動作は、同様の符番を有する対応するカウンターパートのmeans-plus-function構成要素を有しうる。例えば、図５および図６に示されるブロック５０２−５０６、６０２−６０６は、図５Ａおよび図６Ａに示される回路ブロック５０２Ａ−５０６Ａおよび６０２Ａ−６０６Ａに対応する。
【００６９】
本明細書において使用される場合に、用語「判定すること（determining）」は、多種多様な動作を包含する。例えば、「判定すること」とは、計算すること、コンピュータで算出すること、処理すること、導出すること、詳細に調べること、（例えば、表、データベース、あるいは別のデータ・ストラクチャを調べることのように）調べること、解明すること等を含みうる。更に、「判定すること」とは、（例えば、情報を受信することのように）受信すること、（例えば、メモリ内のデータにアクセスすることのように）アクセスすること等を含みうる。更に、「判定すること」とは、決定すること、選択すること、選定すること、確立すること等を含みうる。
【００７０】
本明細書において使用される場合に、アイテムのリストの「少なくとも１つ」というフレーズは、単一メンバーを含むこれらのアイテムの任意の組み合わせを称する。例えば、「ａ、ｂ、あるいはｃの少なくとも１つ」とは、ａ、ｂ、ｃ、ａ−ｂ、ａ−ｃ、ｂ−ｃ、およびａ−ｂ−ｃをカバーするよう意図されている。
【００７１】
上述された方法の様々な動作は、様々なハードウェアおよび／あるいは（複数の）ソフトウェア構成要素、回路、および／あるいは（複数の）モジュールのような動作を実行することができる任意の適切な手段によって実行されうる。一般に、図に示される任意の動作は、動作を実行することができる対応する機能的手段によって実行されうる。
【００７２】
本開示に関連付けて説明される多様な実例的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいは他のプログラマブル論理デバイス（ＰＬＤ）、離散ゲートもしくはトランジスタ論理、離散ハードウェア構成要素、あるいは本明細書で説明された機能を実行するために設計されたそれらの任意の組み合わせによって実施あるいは実行されうる。汎用プロセッサはマイクロプロセッサでありうるが、代替物としては、プロセッサは商業的に利用可能な任意のプロセッサ、コントローラ、マイクロコントローラ、あるいは順序回路でありうる。プロセッサは、例えば、ＤＳＰおよびマイクロプロセッサの組み合わせ、複数のマイクロ・プロセッサ、ＤＳＰコアと連携した１つあるいは複数のマイクロプロセッサ、あるいはその他の任意のこのような構成といったコンピューティング・デバイスの組み合わせとしても実現されうる。
【００７３】
本開示に関連付けて説明されたアルゴリズムあるいは方法のステップは、直接的にハードウェアにおいて、プロセッサによって実行されるソフトウェア・モジュールにおいて、あるいはこの２つの組み合わせにおいて実現されうる。ソフトウェア・モジュールは、当該技術分野において周知の任意の形態の記憶媒体内に存在しうる。使用されうる記憶媒体のいくつかの実例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハード・ディスク、リムーバブル・ディスク、ＣＤ−ＲＯＭ等を含む。ソフトウェア・モジュールは、単一の命令あるいは多数の命令群を備え、また、異なるプログラムの間に、かつ複数の記憶媒体にわたって、いくつかの異なるコード・セグメントに分散されうる。記憶媒体は、記憶媒体からの情報を読み取り、記憶媒体に情報を書き込むことができるプロセッサのようなプロセッサと結合される。代替的に、記憶媒体はプロセッサに統合されうる。
【００７４】
本明細書において開示された方法は、説明された方法を達成するための１又は複数のステップあるいは動作を備える。この方法のステップ及び／あるいは動作は、特許請求の範囲から逸脱することなく、それぞれ置換可能でありうる。言い換えると、ステップあるいは動作の特定の順序が特に明記されない限りは、特定のステップ及び／あるいは動作の順序及び／あるいは用途は、特許請求の範囲から逸脱することなく変更されうる。
【００７５】
前述された機能は、ハードウェア、ソフトウェア、ファームウェア、あるいはそれら任意の組合せにおいて実現されうる。ソフトウェアにおいて実現される場合、この機能は、１又は複数の命令群として、コンピュータ読取可能媒体に格納されうる。記憶媒体は、コンピュータによってアクセスされうる任意の利用可能な媒体でありうる。限定ではなく、例として、このようなコンピュータ読取可能媒体は、ＲＡＭ、ＲＯＭ、ＥＥＰＲＯＭ、ＣＤ−ＲＯＭかその他の光学ディスク記憶装置、磁気ディスク記憶装置かその他の磁気記憶デバイス、あるいは、望まれたプログラムコードを、命令群もしくはデータ構造の形態で搬送又は格納するために使用され、コンピュータによってアクセスされうる、その他任意のデバイスを備えうる。本明細書で使用されるようなディスク（disk）及びディスク（disc）は、コンパクト・ディスク（ＣＤ）、レーザー・ディスク、光学ディスク(、デジタル・バーサタイル・ディスク（ＤＶＤ）、フロッピー（登録商標）・ディスク(disk)及びブルーレイ（登録商標）・ディスクを含む。ここで、ディスク（disk）は通常データを磁気的に再生する一方、ディスク（disc）はレーザーを用いてデータを光学的に再生する。
【００７６】
このように、ある態様は、本明細書に示された動作を実行するためのコンピュータプログラム製品を備えうる。例えば、このようなコンピュータプログラム製品は、格納された（および／あるいは符号化された）命令群を有するコンピュータ読取可能媒体を備えうる。この命令群は、本明細書に説明された動作を実行するように、１又は複数のプロセッサによって実行可能である。ある態様において、コンピュータプログラム製品は、パッケージ・マテリアルを含みうる。
【００７７】
ソフトウェアあるいは命令群はまた、送信媒体によって送信されうる。例えば、同軸ケーブルや、光ファイバー・ケーブルや、ツイスト・ペアや、デジタル加入者回線（ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバー・ケーブルや、ツイスト・ペアや、ＤＳＬや、あるいは赤外線、無線、及びマイクロ波のような無線技術は、送信媒体の定義に含まれる。
【００７８】
更に、モジュールおよび／あるいは本明細書において説明される方法および技術を実行するためのその他適切な手段は、規定どおりにユーザ端末および／あるいは基地局によってダウンロードされるか、および／あるいは、そうでない場合は取得されうる。例えば、このようなデバイスは、本明細書で説明された方法を実行するための手段の転送を容易にするために、サーバに結合されうる。代替的に、ユーザ端末および／あるいは基地局が記憶手段をデバイスに結合させる際、あるいは記憶手段をデバイスに提供する際の様々な方法を得ることができるように、本明細書で説明された様々な方法は、記憶手段（例えば、ＲＡＭ、ＲＯＭ、コンパクト・ディスク（ＣＤ）あるいはフロッピー（登録商標）・ディスク等のような物理記憶媒体）によって提供されうる。更に、本明細書で説明された方法および技術をデバイスに提供するためのその他任意の適切な技術が利用されうる。
【００７９】
特許請求の範囲が、上記で例示された正確な構成および構成要素に限定されないということが理解されるべきである。様々な変形例、変更、およびバリエーションが、特許請求の範囲の範囲から逸脱することなく、配置、動作、および上記で説明された方法および装置の細部においてなされうる。
【００８０】
以上は本開示の実施形態に向けられているが、本開示のその他のおよび更なる実施形態が、その基本的な範囲から逸脱することなく考案されうる、また、その範囲は以下の特許請求の範囲によって判定される。
以下に、本願出願の当初の特許請求の範囲に記載された発明を付記する。
［Ｃ１］
ソース装置による無線通信のための方法であって、
宛先装置にデータを転送することができる装置とメッセージを交換することと、
前記メッセージの交換に基づいて、前記転送装置を経由して前記宛先装置にデータを送るか、前記宛先装置に直接的に前記データを送るかを判定することと、
前記判定に基づいて、前記宛先装置にデータを送信することと
を備える、方法。
［Ｃ２］
前記交換は、少なくとも１つのチャネル条件を示す１又は複数のメッセージを交換することを備え、
前記判定は、前記少なくとも１つのチャネル条件に基づいて、前記転送装置を経由して前記宛先装置に前記データを送るのと、前記宛先装置に直接的に前記データを送るのと、どちらが好適であるかを判定することを備える、
［Ｃ１］に記載の方法。
［Ｃ３］
前記少なくとも１つのチャネル条件は、前記ソース装置と前記転送装置との間のリンクのチャネル条件か、前記転送装置と前記宛先装置との間のリンクのチャネル条件かのうちの少なくとも１つを備える、
［Ｃ２］に記載の方法。
［Ｃ４］
前記判定に基づく前記送信の前に、前記転送装置を経由して前記宛先装置に前記データを送信することを決定することと、
前記決定についてのアナウンスメッセージを前記転送装置に送信することと
を更に備える、［Ｃ１］に記載の方法。
［Ｃ５］
前記アナウンスメッセージは、前記データに組み込まれる、
［Ｃ４］に記載の方法。
［Ｃ６］
前記送信は、
前記宛先装置のアドレスを備える前記データを前記転送装置に送信することを備え、前記アドレスは、前記データが前記宛先装置に転送されるべきであることを示す、
［Ｃ１］に記載の方法。
［Ｃ７］
前記交換は、前記転送装置の指向性性能および前記ソース装置の指向性性能を示す１又は複数のメッセージを交換することを備え、
前記判定は、前記転送装置の前記指向性性能と前記ソース装置の前記指向性性能とに基づいて、前記転送装置を経由して前記宛先装置に前記データを送るのと、前記宛先装置に直接的に前記データを送るのと、どちらが好適であるかを判定することを備える、
［Ｃ１］に記載の方法。
［Ｃ８］
前記交換は、前記転送装置の伝送電力および前記ソース装置の伝送電力を示す１又は複数のメッセージを交換することを備え、
前記判定は、前記転送装置の前記伝送電力と前記ソース装置の前記伝送電力とに基づいて、前記転送装置を経由して前記宛先装置に前記データを送るのと、前記宛先装置に直接的に前記データを送るのと、どちらが好適かを判定することを備える、
［Ｃ１］に記載の方法。
［Ｃ９］
前記交換は、前記転送装置の１又は複数のビームフォーミング利得と、前記ソース装置の１又は複数のビームフォーミング利得とを示す１又は複数のメッセージを交換することを備え、
前記判定は、前記転送装置の前記１又は複数のビームフォーミング利得と、前記ソース装置の前記１又は複数のビームフォーミング利得とに基づいて、前記転送装置を経由して前記宛先装置に前記データを送るのと、前記宛先装置に直接的に前記データを送るのと、どちらが好適かを判定することを備える、
［Ｃ１］に記載の方法。
［Ｃ１０］
前記交換は、
前記転送装置に要求メッセージを送信することと、
前記データが、前記宛先装置に直接的に送られるべきか、それとも前記転送装置を経由して前記宛先デバイスに送られるべきかを示す応答メッセージを、前記転送装置から受信することと
を備える、［Ｃ１］に記載の方法。
［Ｃ１１］
前記データの一部分は、前記データの別の一部分が前記転送装置に送信される前に、前記宛先装置に転送されるように前記転送装置に送信され、前記方法は、
前記データの前記一部分が前記転送装置において成功裏に受信されたというアクノレッジメントを前記転送装置から受信することを更に備え、前記データの前記一部分は、前記転送装置から前記宛先装置にまだ転送されていない、
［Ｃ１］に記載の方法。
［Ｃ１２］
前記データの前記一部分が前記宛先装置において成功裏に受信されたというアクノレッジメントを前記転送装置から受信することを更に備え、前記宛先装置は、前記アクノレッジメントを前記転送装置に送る、
［Ｃ１１］に記載の方法。
［Ｃ１３］
無線通信のための装置であって、
宛先装置にデータを転送することができる装置とメッセージを交換するように構成されるトランシーバと、
前記メッセージの交換に基づいて、前記転送装置を経由して前記宛先装置にデータを送るか、前記宛先装置に直接的に前記データを送るかを判定するように構成されるプロセッサと
を備え、前記トランシーバは更に、前記判定に基づいて、前記宛先装置にデータを送信するように構成される、
装置。
［Ｃ１４］
前記トランシーバは更に、少なくとも１つのチャネル条件を示す１又は複数のメッセージを交換するように構成され、
前記プロセッサは更に、前記少なくとも１つのチャネル条件に基づいて、前記転送装置を経由して前記宛先装置に前記データを送るのと、前記宛先装置に直接的に前記データを送るのと、どちらが好適であるかを判定するように構成される、
［Ｃ１３］に記載の装置。
［Ｃ１５］
前記少なくとも１つのチャネル条件は、前記装置と前記転送装置との間のリンクのチャネル条件か、前記転送装置と前記宛先装置との間のリンクのチャネル条件かのうちの少なくとも１つを備える、
［Ｃ１４］に記載の装置。
［Ｃ１６］
前記プロセッサは更に、前記判定に基づく前記送信の前に、前記転送装置を経由して前記宛先装置に前記データを送信することを決定するように構成され、
前記トランシーバは更に、前記決定についてのアナウンスメッセージを前記転送装置に送信するように構成される、
［Ｃ１３］に記載の装置。
［Ｃ１７］
前記アナウンスメッセージは、前記データに組み込まれる、
［Ｃ１６］に記載の装置。
［Ｃ１８］
前記トランシーバは更に、前記宛先装置のアドレスを備える前記データを前記転送装置に送信するように構成され、前記アドレスは、前記データが前記宛先装置に転送されるべきであることを示す、
［Ｃ１３］に記載の装置。
［Ｃ１９］
前記トランシーバは更に、前記転送装置の指向性性能および前記装置の指向性性能を示す１又は複数のメッセージを交換するように構成され、
前記プロセッサは更に、前記転送装置の前記指向性性能と前記装置の前記指向性性能とに基づいて、前記転送装置を経由して前記宛先装置に前記データを送るのと、前記宛先装置に直接的に前記データを送るのと、どちらが好適であるかを判定するように構成される、
［Ｃ１３］に記載の装置。
［Ｃ２０］
前記トランシーバは更に、前記転送装置の伝送電力および前記装置の伝送電力を示す１又は複数のメッセージを交換するように構成され、
前記プロセッサは更に、前記転送装置の前記伝送電力と前記装置の前記伝送電力とに基づいて、前記転送装置を経由して前記宛先装置に前記データを送るのと、前記宛先装置に直接的に前記データを送るのと、どちらが好適かを判定するように構成される、
［Ｃ１３］に記載の装置。
［Ｃ２１］
前記トランシーバは更に、前記転送装置の１又は複数のビームフォーミング利得と、前記装置の１又は複数のビームフォーミング利得とを示す１又は複数のメッセージを交換するように構成され、
前記プロセッサは更に、前記転送装置の前記１又は複数のビームフォーミング利得と、前記装置の前記１又は複数のビームフォーミング利得とに基づいて、前記転送装置を経由して前記宛先装置に前記データを送るのと、前記宛先装置に直接的に前記データを送るのと、どちらが好適かを判定するように構成される、
［Ｃ１３］に記載の装置。
［Ｃ２２］
前記トランシーバは更に、
前記転送装置に要求メッセージを送信し、
前記データが、前記宛先装置に直接的に送られるべきか、それとも前記転送装置を経由して前記宛先デバイスに転送されるべきかを示す応答メッセージを、前記転送装置から受信する
ように構成される、［Ｃ１３］に記載の装置。
［Ｃ２３］
前記データの一部分は、前記データの別の一部分が前記転送装置に送信される前に前記宛先装置に転送されるように前記転送装置に送信され、前記トランシーバは更に、
前記データの前記一部分が前記転送装置において成功裏に受信されたというアクノレッジメントを前記転送装置から受信するように構成され、前記データの前記一部分は、前記転送装置から前記宛先装置にまだ転送されていない、
［Ｃ１３］に記載の装置。
［Ｃ２４］
前記トランシーバは更に、
前記データの前記一部分が前記宛先装置において成功裏に受信されたというアクノレッジメントを前記転送装置から受信するように構成され、前記宛先装置は、前記アクノレッジメントを前記転送装置に送る、
［Ｃ２０］に記載の装置。
［Ｃ２５］
無線通信のための装置であって、
宛先装置にデータを転送することができる装置とメッセージを交換する手段と、
前記メッセージの交換に基づいて、前記転送装置を経由して前記宛先装置にデータを送るか、前記宛先装置に直接的に前記データを送るかを判定する手段と、
前記判定に基づいて、前記宛先装置にデータを送信する手段と
を備える、装置。
［Ｃ２６］
前記交換する手段は、少なくとも１つのチャネル条件を示す１又は複数のメッセージを交換する手段を備え、
前記判定する手段は、前記少なくとも１つのチャネル条件に基づいて、前記転送装置を経由して前記宛先装置に前記データを送るのと、前記宛先装置に直接的に前記データを送るのと、どちらが好適であるかを判定する手段を備える、
［Ｃ２５］に記載の装置。
［Ｃ２７］
前記少なくとも１つのチャネル条件は、前記装置と前記転送装置との間のリンクのチャネル条件か、前記転送装置と前記宛先装置との間のリンクのチャネル条件かのうちの少なくとも１つを備える、
［Ｃ２６］に記載の装置。
［Ｃ２８］
前記判定に基づく前記送信の前に、前記転送装置を経由して前記宛先装置に前記データを送信することを決定する手段を更に備え、
前記送信する手段は更に、前記決定についてのアナウンスメッセージを前記転送装置に送信するように構成される、
［Ｃ２５］に記載の方法。
［Ｃ２９］
前記アナウンスメッセージは、前記データに組み込まれる、
［Ｃ２８］に記載の装置。
［Ｃ３０］
前記送信する手段は更に、前記宛先装置のアドレスを備える前記データを前記転送装置に送信するように構成され、前記アドレスは、前記データが前記宛先装置に転送されるべきであることを示す、
［Ｃ２５］に記載の装置。
［Ｃ３１］
前記交換する手段は、前記転送装置の指向性性能および前記装置の指向性性能を示す１又は複数のメッセージを交換する手段を備え、
前記判定する手段は、前記転送装置の前記指向性性能と前記装置の前記指向性性能とに基づいて、前記転送装置を経由して前記宛先装置に前記データを送るのと、前記宛先装置に直接的に前記データを送るのと、どちらが好適であるかを判定する手段を備える、
［Ｃ２５］に記載の装置。
［Ｃ３２］
前記交換する手段は、前記転送装置の伝送電力および前記装置の伝送電力を示す１又は複数のメッセージを交換する手段を備え、
前記判定する手段は、前記転送装置の前記伝送電力と前記装置の前記伝送電力とに基づいて、前記転送装置を経由して前記宛先装置に前記データを送るのと、前記宛先装置に直接的に前記データを送るのと、どちらが好適かを判定する手段を備える、
［Ｃ２５］に記載の装置。
［Ｃ３３］
前記交換する手段は、前記転送装置の１又は複数のビームフォーミング利得と、前記装置の１又は複数のビームフォーミング利得とを示す１又は複数のメッセージを交換する手段を備え、
前記判定する手段は、前記転送装置の前記１又は複数のビームフォーミング利得と、前記装置の前記１又は複数のビームフォーミング利得とに基づいて、前記転送装置を経由して前記宛先装置に前記データを送るのと、前記宛先装置に直接的に前記データを送るのと、どちらが好適かを判定する手段を備える、
［Ｃ２５］に記載の装置。
［Ｃ３４］
前記交換する手段は、
前記転送装置に要求メッセージを送信する手段と、
前記データが、前記宛先装置に直接的に送られるべきか、それとも前記転送装置を経由して前記宛先デバイスに転送されるべきかを示す応答メッセージを、前記転送装置から受信する手段と
を備える、［Ｃ２５］に記載の装置。
［Ｃ３５］
前記データの一部分は、前記データの別の一部分が前記転送装置に送信される前に前記宛先装置に転送されるように前記転送装置に送信され、前記装置は更に、
前記データの前記一部分が前記転送装置において成功裏に受信されたというアクノレッジメントを前記転送装置から受信する手段を備え、前記データの前記一部分は、前記転送装置から前記宛先装置にまだ転送されていない、
［Ｃ２５］に記載の装置。
［Ｃ３６］
前記受信する手段は更に、前記データの前記一部分が前記宛先装置において成功裏に受信されたというアクノレッジメントを前記転送装置から受信するように構成され、前記宛先装置は、前記アクノレッジメントを前記転送装置に送っている、
［Ｃ３５］に記載の装置。
［Ｃ３７］
命令群を備えるコンピュータ可読媒体を備える、ソース装置による無線通信のためのコンピュータプログラム製品であって、前記命令群は、
宛先装置にデータを転送することができる装置とメッセージを交換し、
前記メッセージの交換に基づいて、前記転送装置を経由して前記宛先装置にデータを送るのか、前記宛先装置に直接的に前記データを送るのかを判定し、
前記判定に基づいて前記宛先装置にデータを送信する
ように実行可能である、コンピュータプログラム製品。
［Ｃ３８］
無線ノードであって、
少なくとも１つのアンテナと、
宛先無線ノードにデータを転送することができる別の無線ノードと、前記少なくとも１つのアンテナによってメッセージを交換するように構成されるトランシーバと、
前記メッセージの交換に基づいて、前記転送無線ノードを経由してデータを前記宛先無線ノードに送るか、前記宛先無線ノードに直接的に前記データを送るかを判定するように構成されるプロセッサと
を備え、前記トランシーバは更に、前記判定に基づいて、前記少なくとも１つのアンテナによって、前記宛先無線ノードにデータを送信するように構成される、
無線ノード。
［Ｃ３９］
転送装置による無線通信のための方法であって、
データを宛先装置に送るよう求める要求メッセージをソース装置から受信することと、
前記要求メッセージに応答して、前記ソース装置から前記宛先装置に直接的に前記データを送るのと、前記ソース装置から前記転送装置を経由して前記宛先装置に前記データを送るのと、どちらが好適かを判定することと、
前記転送装置を経由して前記宛先装置に前記データを送るのが好適であることを示す確認メッセージを、前記ソース装置および前記宛先装置に送信することと
を備える、方法。
［Ｃ４０］
前記ソース装置から前記データを受信することと、
前記宛先装置に前記受信されたデータを転送することと
を更に備え、前記受信および前記転送は、同時に実行される、
［Ｃ３９］に記載の方法。
［Ｃ４１］
前記ソース装置から前記データを受信することと、
前記受信されたデータを前記宛先装置に転送することと
を更に備え、前記データの全てが、前記宛先装置に転送される前に、前記転送装置において受信およびバッファされる、
［Ｃ３９］に記載の方法。
［Ｃ４２］
前記ソース装置から前記転送装置に前記データを送信するためのチャネル時間を前記ソース装置に割り当てることと、
前記宛先装置において前記データを受信するためのその他のチャネル時間を前記宛先装置に割り当てることと
を更に備える、［Ｃ３９］に記載の方法。
［Ｃ４３］
前記ソース装置から前記転送装置に前記データを送信するための周波数帯域を前記ソース装置に割り当てることと、
前記宛先装置において前記データを受信するためのその他の周波数帯域を前記宛先装置に割り当てることと
を更に備える、［Ｃ３９］に記載の方法。
［Ｃ４４］
前記ソース装置から前記転送装置に前記データを送信するための空間チャネルの第１のセットを前記ソース装置に割り当てることと、
前記宛先装置において前記データを受信するための空間チャネルの第２のセットを前記宛先装置に割り当てることと
を更に備える、［Ｃ３９］に記載の方法。
［Ｃ４５］
前記データの一部分は、前記ソース装置から受信され、前記ソース装置から前記データの別の一部分が受信される前に、前記宛先装置に転送される、
［Ｃ３９］に記載の方法。
［Ｃ４６］
前記データの前記一部分を転送する前に、前記ソース装置に、前記データの前記一部分の受信をアクノレッジするためのアクノレッジメントメッセージを送信することと、
前記宛先装置における前記データの前記一部分の受信を示す別のアクノレッジメントメッセージを前記宛先装置から受信することと
を更に備える、［Ｃ４５］に記載の方法。
［Ｃ４７］
前記判定は、
前記ソース装置と前記転送装置との間のリンクのチャネル条件に基づいて第１のリンク品質を判定することと、
前記転送装置と前記宛先装置との間のリンクのチャネル条件に基づいて第２のリンク品質を判定することと、
前記ソース装置と前記宛先装置との間の直接リンクのチャネル条件に基づいて第３のリンク品質を判定することと、
前記判定された第１、第２、および第３のリンク品質のうちの少なくとも１つと、選択された変調符号化スキームを使用する前記データの成功伝送のために必要とされるリンク品質の定義されたレベルとを比較することと
を備える、［Ｃ３９］に記載の方法。
［Ｃ４８］
前記チャネル条件は、信号対雑音比を備える、
［Ｃ４７］に記載の方法。
［Ｃ４９］
前記ソース装置から前記データを受信することと、
前記受信されたデータの一部分を復号することと、
前記データの前記復号された一部分を再符号化することと、
前記データの前記再符号化された一部分を、前記受信されたデータの復号されなかった残りの部分と一緒に転送することと
を更に備える、［Ｃ３９］に記載の方法。
［Ｃ５０］
前記データの前記復号された一部分はヘッダを備え、前記再符号化することは、
前記データの前記復号された一部分を修正することを備える、
［Ｃ４９］に記載の方法。
［Ｃ５１］
少なくとも１つのチャネル条件についての情報を、前記ソース装置に送信することを更に備え、
前記少なくとも１つのチャネル条件は、前記ソース装置と前記転送装置との間のリンクのチャネル条件か、前記転送装置と前記宛先装置との間のリンクのチャネル条件かのうちの少なくとも１つを備える、
［Ｃ３９］に記載の方法。
［Ｃ５２］
前記ソース装置が前記転送装置を経由して前記宛先装置に前記データを送ることを決定したことを示すアナウンスメッセージを備える前記データを、前記ソース装置から受信することを更に備える、
［Ｃ３９］に記載の方法。
［Ｃ５３］
前記宛先装置のアドレスを備える前記データを前記ソース装置から受信することと、
前記アドレスに基づいて、前記受信されたデータは前記宛先装置に転送されるべきであると判定することと
を更に備える、［Ｃ３９］に記載の方法。
［Ｃ５４］
無線通信のための装置であって、
宛先装置にデータを送るよう求める要求メッセージを、ソース装置から受信するように構成される受信機と、
前記要求メッセージに応答して、前記ソース装置から前記宛先装置に直接的に前記データを送るのと、前記ソース装置から前記装置を経由して前記宛先装置に前記データを送るのと、どちらが好適であるかを判定するように構成されるプロセッサと、
前記装置を経由して前記宛先装置に前記データを送るのが好適であることを示す確認メッセージを、前記ソース装置および前記宛先装置に送信するように構成される送信機と
を備える、装置。
［Ｃ５５］
前記受信機は更に、前記ソース装置から前記データを受信するように構成され、
前記送信機は更に、前記受信されたデータを前記宛先装置に転送するように構成され、
前記受信および前記転送は同時に実行される、
［Ｃ５４］に記載の装置。
［Ｃ５６］
前記受信機は更に、前記ソース装置から前記データを受信するように構成され、
前記送信機は更に、前記宛先装置に前記受信されたデータを転送するように構成され、
前記データの全てが、前記宛先装置に転送される前に、前記装置において受信およびバッファされる、
［Ｃ５４］に記載の装置。
［Ｃ５７］
前記ソース装置から前記装置に前記データを送信するためのチャネル時間を前記ソース装置に割り当てるように構成される回路を更に備え、
前記回路は更に、前記宛先において前記データを受信するためのその他のチャネル時間を、前記宛先装置に割り当てるように構成される、
［Ｃ５４］に記載の装置。
［Ｃ５８］
前記ソース装置から前記装置に前記データを送信するための周波数帯域を前記ソース装置に割り当てるように構成される回路を更に備え、
前記回路は更に、前記宛先装置において前記データを受信するためのその他の周波数帯域を、前記宛先装置に割り当てるように構成される、
［Ｃ５４］に記載の装置。
［Ｃ５９］
前記ソース装置から前記装置に前記データを送信するための空間チャネルの第１のセットを、前記ソース装置に割り当てるように構成される回路を更に備え、
前記回路は更に、前記宛先装置において前記データを受信するための空間チャネルの第２のセットを前記宛先装置に割り当てるように構成される、
［Ｃ５４］に記載の装置。
［Ｃ６０］
前記データの一部分は、前記ソース装置から受信され、前記ソース装置から前記データの別の一部分が受信される前に、前記宛先装置に転送される、
［Ｃ５４］に記載の装置。
［Ｃ６１］
前記送信機は更に、前記データの前記一部分を転送する前に、前記データの前記一部分の受信をアクノレッジするためのアクノレッジメントメッセージを前記ソース装置に送信するように構成され、
前記受信機は更に、前記宛先装置において前記データの一部分の受信を示す別のアクノレッジメントメッセージを前記宛先装置から受信するように構成される、
［Ｃ６０］に記載の装置。
［Ｃ６２］
前記プロセッサは更に、
前記ソース装置と前記装置との間のリンクのチャネル条件に基づいて第１のリンク品質を判定し、
前記装置と前記宛先装置との間のリンクのチャネル条件に基づいて第２のリンク品質を判定し、
前記ソース装置と前記宛先装置との間の直接リンクのチャネル条件に基づいて第３のリンク品質を判定し、
前記判定された第１、第２、あるいは第３のリンク品質のうちの少なくとも１つと、選択された変調符号化スキームを使用する前記データの成功伝送のために必要とされるリンク品質の定義されたレベルとを比較する
ように構成される、［Ｃ５４］に記載の装置。
［Ｃ６３］
前記チャネル条件は、信号対雑音比を備える、
［Ｃ６２］に記載の装置。
［Ｃ６４］
前記受信機は更に、前記ソース装置から前記データを受信するように構成され、前記装置は更に、
前記受信されたデータの一部分を復号するように構成される復号器と、
前記データの前記復号された一部分を再符号化するように構成される符号化器と
を備え、前記送信機は更に、前記データの再符号化された一部分を、前記受信されたデータの復号されなかった残りの部分と一緒に転送するように構成される、
［Ｃ５４］に記載の装置。
［Ｃ６５］
前記データの前記復号された一部分はヘッダを備え、前記符号器は更に、前記データの前記復号された一部分を修正するように構成される、
［Ｃ６４］に記載の装置。
［Ｃ６６］
前記送信機は更に、少なくとも１つのチャネル条件についての情報を、前記ソース装置に送信するように構成され、
前記少なくとも１つのチャネル条件は、前記ソース装置と前記装置との間のリンクのチャネル条件か、前記装置と前記宛先装置との間のリンクのチャネル条件かのうちの少なくとも１つを備える、
［Ｃ５４］に記載の装置。
［Ｃ６７］
前記受信機は更に、前記ソース装置が前記装置を経由して前記宛先装置に前記データを送ることを決定したことを示すアナウンスメッセージを備える前記データを前記ソース装置から受信するように構成される、
［Ｃ５４］に記載の装置。
［Ｃ６８］
前記受信機は更に、前記宛先装置のアドレスを備える前記データを前記ソース装置から受信するように構成され、前記装置は更に、
前記アドレスに基づいて、前記受信されたデータは前記宛先装置に転送されるべきであると判定するように構成される回路を備える、
［Ｃ５４］に記載の装置。
［Ｃ６９］
無線通信のための装置であって、
宛先装置にデータを送るよう求める要求メッセージを、ソース装置から受信する手段と、
前記要求メッセージに応答して、前記ソース装置から前記宛先装置に直接的に前記データを送るのと、前記ソース装置から前記装置を経由して前記宛先装置に前記データを送るのと、どちらが好適であるかを判定する手段と、
前記装置を経由して前記宛先装置に前記データを送るのが好適であることを示す確認メッセージを、前記ソース装置および前記宛先装置に送信する手段と
を備える、装置。
［Ｃ７０］
前記受信する手段は更に、前記ソース装置から前記データを受信するように構成され、
前記送信する手段は更に、前記受信されたデータを前記宛先装置に転送するように更に構成され、
前記受信および前記転送は同時に実行される、
［Ｃ６９］に記載の装置。
［Ｃ７１］
前記受信する手段は更に、前記ソース装置から前記データを受信するように構成され、
前記送信する手段は更に、前記宛先装置に前記受信されたデータを転送するように構成され、
前記データの全てが、前記宛先装置に転送される前に、前記装置において受信およびバッファされる、
［Ｃ６９］に記載の装置。
［Ｃ７２］
前記ソース装置から前記装置に前記データを送信するためのチャネル時間を前記ソース装置に割り当てる手段と、
前記宛先において前記データを受信するためのその他のチャネル時間を、前記宛先装置に割り当てる手段と
を更に備える、［Ｃ６９］に記載の装置。
［Ｃ７３］
前記ソース装置から前記装置に前記データを送信するための周波数帯域を前記ソース装置に割り当てる手段と、
前記宛先装置において前記データを受信するためのその他の周波数帯域を、前記宛先装置に割り当てる手段と
を更に備える、［Ｃ６９］に記載の装置。
［Ｃ７４］
前記ソース装置から前記装置に前記データを送信するための空間チャネルの第１のセットを、前記ソース装置に割り当てる手段と、
前記宛先装置において前記データを受信するための空間チャネルの第２のセットを前記宛先装置に割り当てる手段と
を更に備える、［Ｃ６９］に記載の装置。
［Ｃ７５］
前記データの一部分は、前記ソース装置から受信され、前記ソース装置から前記データの別の一部分が受信される前に、前記宛先装置に転送される、
［Ｃ６９］に記載の装置。
［Ｃ７６］
前記送信する手段は更に、前記データの前記一部分を転送する前に、前記データの前記一部分の前記受信をアクノレッジするためのアクノレッジメントメッセージを前記ソース装置に送信するように構成され、
前記受信する手段は更に、前記宛先装置において前記データの前記一部分の受信を示す別のアクノレッジメントメッセージを前記宛先装置から受信するように構成される、
［Ｃ７５］に記載の装置。
［Ｃ７７］
前記判定する手段は、
前記ソース装置と前記装置との間のリンクのチャネル条件に基づいて第１のリンク品質を判定する手段と、
前記装置と前記宛先装置との間のリンクのチャネル条件に基づいて第２のリンク品質を判定する手段と、
前記ソース装置と前記宛先装置との間の直接リンクのチャネル条件に基づいて第３のリンク品質を判定する手段と、
前記判定された第１、第２、あるいは第３のリンク品質のうちの少なくとも１つと、選択された変調符号化スキームを使用する前記データの成功伝送のために必要とされるリンク品質の定義されたレベルとを比較する手段と
を備える、［Ｃ６９］に記載の装置。
［Ｃ７８］
前記チャネル条件は、信号対雑音比を備える、
［Ｃ７７］に記載の装置。
［Ｃ７９］
前記受信する手段は更に、前記ソース装置から前記データを受信するように構成され、前記装置は更に、
前記受信されたデータの一部分を復号する手段と、
前記データの前記復号された一部分を再符号化する手段と
を備え、前記送信する手段は更に、前記データの前記再符号化された一部分を、前記受信されたデータの復号されなかった残りの部分と一緒に転送するように構成される、
［Ｃ６９］に記載の装置。
［Ｃ８０］
前記データの前記復号された一部分はヘッダを備え、
前記再符号化する手段は、前記データの前記復号された一部分を修正する手段を備える、
［Ｃ７９］に記載の装置。
［Ｃ８１］
前記送信する手段は更に、少なくとも１つのチャネル条件についての情報を、前記ソース装置に送信するように構成され、
前記少なくとも１つのチャネル条件は、前記ソース装置と前記装置との間のリンクのチャネル条件か、前記装置と前記宛先装置との間のリンクのチャネル条件かのうちの少なくとも１つを備える、
［Ｃ６９］に記載の装置。
［Ｃ８２］
前記受信する手段は更に、前記ソース装置が前記装置を経由して前記宛先装置に前記データを送ることを決定したことを示すアナウンスメッセージを備える前記データを前記ソース装置から受信するように構成される、
［Ｃ６９］に記載の装置。
［Ｃ８３］
前記受信する手段は更に、前記宛先装置のアドレスを備える前記データを前記ソース装置から受信するように構成され、前記装置は更に、
前記アドレスに基づいて、前記受信されたデータは前記宛先装置に転送されるべきであると判定する手段を備える、
［Ｃ６９］に記載の装置。
［Ｃ８４］
命令群を備えるコンピュータ可読媒体を備えた、転送装置による無線通信のためのコンピュータプログラム製品であって、前記命令群は、
宛先装置にデータを送るよう求める要求メッセージを、ソース装置から受信し、
前記要求メッセージに応答して、前記ソース装置から前記宛先装置に直接的に前記データを送るのと、前記ソース装置から前記転送装置を経由して前記宛先装置に前記データを送るのと、どちらが好適であるかを判定し、
前記転送装置を経由して前記宛先装置に前記データを送るのが好適であることを示す確認メッセージを、前記ソース装置および前記宛先装置に送信する
ように実行可能である、コンピュータプログラム製品。
［Ｃ８５］
無線ノードであって、
少なくとも１つのアンテナと、
宛先無線ノードにデータを送るよう求める要求メッセージを、少なくとも１つのアンテナによってソース無線ノードから受信するように構成される受信機と、
前記要求メッセージに応答して、前記ソース無線ノードから前記宛先無線ノードに直接的に前記データを送るのと、前記ソース無線ノードから前記無線ノードを経由して前記宛先無線ノードに前記データを送るのと、どちらが好適であるかを判定するように構成されるプロセッサと、
前記無線ノードを経由して前記宛先装置に前記データを送るのが好適であることを示す確認メッセージを、前記ソース無線ノードおよび前記宛先無線ノードに、前記少なくとも１つのアンテナによって送信するように構成される送信機と
を備える、無線ノード。
【図１】
0005524342.tif 000006
【図２】
0005524342.tif 000007
【図３】
0005524342.tif 000008
【図４】
0005524342.tif 000009
【図５】
0005524342.tif 000010
【図５Ａ】
0005524342.tif 000011
【図６】
0005524342.tif 000012
【図６Ａ】
0005524342.tif 000013